(57)【要約】  本開示の実施例は、ＬＡＮサービスの制御方法及び通信機器を提供し、ＬＡＮサービスの制御方法は、端末のＬＡＮサービスの能力情報、前記端末の位置情報、ＬＡＮサービス契約情報、及びＬＡＮサービス要求情報の少なくとも１つを含むＬＡＮサービス関連情報を送信することを含む。
2021533677.tif 000002
【特許請求の範囲】
【請求項１】
第１の通信機器に適用され、
端末のＬＡＮサービスの能力情報、前記端末の位置情報、ＬＡＮサービス契約情報、及びＬＡＮサービス要求情報の少なくとも１つを含むＬＡＮサービス関連情報を送信することを含む、ローカルネットワークＬＡＮサービスの制御方法。
【請求項２】
前記ＬＡＮサービス要求情報は、ＬＡＮサービス中継としての要求、及びＬＡＮサービスへのアクセス要求の少なくとも１つを含む、請求項１に記載のＬＡＮサービスの制御方法。
【請求項３】
前記端末のＬＡＮサービスの能力情報は、ＬＡＮサービスをサポートするか否か、及びＬＡＮサービスの中継とすることをサポートするか否かの少なくとも１つを含む、請求項１に記載のＬＡＮサービスの制御方法。
【請求項４】
前記ＬＡＮサービス関連情報は前記ＬＡＮサービス要求情報を含み、
前記のＬＡＮサービス関連情報を送信することは、
予め設定された条件を満たす場合、前記ＬＡＮサービス要求情報を送信することを含み、
前記予め設定された条件は、ネットワークのＬＡＮサービス能力情報を取得したことを含む、請求項１に記載のＬＡＮサービスの制御方法。
【請求項５】
第２の通信機器に適用され、
ネットワークのＬＡＮサービス能力情報を送信することを含む、ＬＡＮサービスの制御方法。
【請求項６】
前記ネットワークのＬＡＮサービス能力情報は、ＬＡＮサービスをサポートするか否かの指示情報、サポートするＬＡＮのＬＡＮ関連情報及びサポートしないＬＡＮのＬＡＮ関連情報の少なくとも１つを含む、請求項５に記載のＬＡＮサービスの制御方法。
【請求項７】
第３の通信機器に適用され、
端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得することと、
前記ＬＡＮサービス関連情報に基づいて、ＬＡＮサービスの第１の関連操作を実行することとを含む、ＬＡＮサービスの制御方法。
【請求項８】
前記ＬＡＮサービスの第１の関連操作は
前記端末にＬＡＮサービスの関連設定情報を設定すること、
前記端末にＬＡＮサービス中継の関連設定情報を設定すること、
前記端末にＬＡＮに関連するルート選択ポリシー情報を設定すること、
ＬＡＮサービスの関連設定情報を送信すること、
ＬＡＮサービス中継の関連設定情報を送信すること、
ＬＡＮに関連するルート選択ポリシー情報を送信すること、
前記端末の加入が許可されたＬＡＮのＬＡＮ関連情報を送信すること、
前記端末の加入が許可されないＬＡＮのＬＡＮ関連情報を送信することの少なくとも１つを含む、請求項７に記載のＬＡＮサービスの制御方法。
【請求項９】
前記ＬＡＮサービスの関連設定情報は、
ＬＡＮサービスを許可するか否かの情報、
ＬＡＮサービスのサービス範囲情報、
加入が許可されたＬＡＮのＬＡＮ関連情報、
加入が許可されないＬＡＮのＬＡＮ関連情報、
ＬＡＮサービスをサポートするＤＮＮ情報、
ＬＡＮサービスをサポートするスライス情報の少なくとも１つを含む、請求項８に記載のＬＡＮサービスの制御方法。
【請求項１０】
前記ＬＡＮサービス中継の関連設定情報は、
ＬＡＮサービス中継とすることを許可するか否かの情報、
ＬＡＮサービス中継のサービス範囲情報、
中継を許可するＬＡＮのＬＡＮ中継関連情報、
中継を許可しないＬＡＮのＬＡＮ中継関連情報、
中継を許可するＬＡＮのＬＡＮ関連情報、
中継を許可しないＬＡＮのＬＡＮ関連情報の少なくとも１つを含む、請求項８に記載のＬＡＮサービスの制御方法。
【請求項１１】
前記ＬＡＮに関連するルート選択ポリシー情報は、
アプリケーションによるＬＡＮサービスへのアクセスが許可されるか否か、
アプリケーションによるアクセスが許可されたＬＡＮのＬＡＮ関連情報、
アプリケーションによるアクセスが許可されないＬＡＮのＬＡＮ関連情報、
アプリケーションに関連付けられたＬＡＮのデータネットワーク名ＤＮＮ情報、
アプリケーションに関連付けられたＬＡＮのスライス情報の少なくとも１つを含む、請求項８に記載のＬＡＮサービスの制御方法。
【請求項１２】
端末に適用され、
ＬＡＮサービスの関連設定情報、ＬＡＮサービス中継の関連設定情報、及びＬＡＮに関連するルート選択ポリシー情報の少なくとも１つを含む第１の情報を取得することと、
前記第１の情報に基づいて、ＬＡＮサービスの第２の関連操作を実行することとを含む、ＬＡＮサービスの制御方法。
【請求項１３】
前記の第１の情報を取得することの前に、
端末のＬＡＮサービスの能力情報、前記端末の位置情報、及びＬＡＮサービス要求情報の少なくとも１つを含むＬＡＮサービス関連情報を送信することをさらに含む、請求項１２に記載のＬＡＮサービスの制御方法。
【請求項１４】
前記ＬＡＮサービスの関連設定情報は、
ＬＡＮサービスを許可するか否かの情報、
ＬＡＮサービスのサービス範囲情報、
加入が許可されたＬＡＮのＬＡＮ関連情報、
加入が許可されないＬＡＮのＬＡＮ関連情報、
ＬＡＮサービスをサポートするＤＮＮ情報、
ＬＡＮサービスをサポートするスライス情報の少なくとも１つを含む、請求項１２に記載のＬＡＮサービスの制御方法。
【請求項１５】
前記ＬＡＮサービスのサービス範囲情報は、
ＬＡＮサービスをサポートするネットワークのネットワーク識別子情報、
ＬＡＮサービスをサポートするネットワークのネットワークタイプ情報、
ＬＡＮサービスをサポートするロケーションエリア情報、
ＬＡＮサービスをサポートする基地局情報、
ＬＡＮサービスをサポートするセル情報の少なくとも１つを含み、及び／又は
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む、請求項１４に記載のＬＡＮサービスの制御方法。
【請求項１６】
前記ＬＡＮ関連情報は、
ＬＡＮの識別子情報、
マルチキャストを許可するか否か、
ＬＡＮにおけるマルチキャストの通信アドレス情報、
ＬＡＮにおける前記端末の通信アドレス情報、
ＬＡＮのサービス範囲情報、
ＬＡＮにおける通信機器情報、
ＬＡＮをサポートするＤＮＮ情報、
ＬＡＮをサポートするスライス情報の少なくとも１つを含む、請求項１４に記載のＬＡＮサービスの制御方法。
【請求項１７】
前記ＬＡＮの識別子情報は、
アプリケーション層のＬＡＮ識別子、
通信ネットワーク内のＬＡＮ識別子、
伝送層のＬＡＮ識別子の少なくとも１つを含む、請求項１６に記載のＬＡＮサービスの制御方法。
【請求項１８】
前記ＬＡＮのサービス範囲情報は、
ＬＡＮをサポートするネットワークのネットワーク識別子、
ＬＡＮをサポートするネットワークのネットワークタイプ情報、
ＬＡＮをサポートするロケーションエリア情報、
ＬＡＮをサポートする基地局情報、
ＬＡＮをサポートするセル情報の少なくとも１つを含み、
及び／又は
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む、請求項１６に記載のＬＡＮサービスの制御方法。
【請求項１９】
前記通信アドレス情報は、ポート、メディアアクセス制御ＭＡＣアドレス、ＩＰアドレス、及び仮想プライベート通信ネットワークＶＬＡＮの情報の少なくとも１つを含み、及び／又は
前記ＬＡＮにおける通信機器情報は、ＬＡＮにおける通信機器の通信アドレス情報を含む、請求項１６に記載のＬＡＮサービスの制御方法。
【請求項２０】
前記ＬＡＮサービス中継の関連設定情報は、
ＬＡＮサービス中継とすることを許可するか否かの情報、
ＬＡＮサービス中継のサービス範囲情報、
中継を許可するＬＡＮのＬＡＮ中継関連情報、
中継を許可しないＬＡＮのＬＡＮ中継関連情報、
中継を許可するＬＡＮのＬＡＮ関連情報、
中継を許可しないＬＡＮのＬＡＮ関連情報の少なくとも１つを含む、請求項１２に記載のＬＡＮサービスの制御方法。
【請求項２１】
前記ＬＡＮサービス中継のサービス範囲情報は、ネットワーク識別子情報、ネットワークタイプ情報、ロケーションエリア情報、基地局情報、及びＬＡＮサービスをサポートするセル情報の少なくとも１つを含み、及び／又は
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む、請求項２０に記載のＬＡＮサービスの制御方法。
【請求項２２】
前記ＬＡＮ中継関連情報は、
ＬＡＮの識別子情報、
マルチキャストを許可するか否か、
ＬＡＮにおけるマルチキャストの通信アドレス情報、
ＬＡＮにおける前記端末の通信アドレス情報、
ＬＡＮのサービス範囲情報、
ＬＡＮにおける通信機器情報、
ＬＡＮにおける中継としての前記端末の通信アドレス情報、
ＬＡＮ中継のサービス範囲情報、
ＬＡＮ中継によるアクセスが許可された通信機器情報の少なくとも１つを含む、請求項２０に記載のＬＡＮサービスの制御方法。
【請求項２３】
前記ＬＡＮに関連するルート選択ポリシー情報は、
アプリケーションによるＬＡＮサービスへのアクセスが許可されるか否か、
アプリケーションによるアクセスが許可されたＬＡＮのＬＡＮ関連情報、
アプリケーションによるアクセスが許可されないＬＡＮのＬＡＮ関連情報、
アプリケーションに関連付けられたＬＡＮのＤＮＮ情報、
アプリケーションに関連付けられたＬＡＮのスライス情報の少なくとも１つを含む、請求項１２に記載のＬＡＮサービスの制御方法。
【請求項２４】
前記ＬＡＮサービスの第２の関連操作は、
ＬＡＮへの加入、
ＬＡＮからの離脱、
ＬＡＮにおける１対１通信、
ＬＡＮにおける１対多通信、
ＬＡＮにおける通信機器への中継サービス提供の少なくとも１つを含む、請求項１２に記載のＬＡＮサービスの制御方法。
【請求項２５】
前記ＬＡＮにおける通信機器への中継サービス提供は、
ＬＡＮに対応するＶＬＡＮの情報を、中継された通信機器のデータパケットに追加することと、
中継された通信機器について、ＬＡＮ加入要求を送信することと、
中継された通信機器について、ＬＡＮからの離脱の要求を送信することとの少なくとも１つを含む、請求項２４に記載のＬＡＮサービスの制御方法。
【請求項２６】
端末に適用され、
ターゲットＬＡＮへの加入要求情報、及びターゲットＬＡＮ中継とする要求情報の少なくとも１つを含む第１の要求情報を送信することを含む、ＬＡＮサービスの制御方法。
【請求項２７】
ネットワーク側機器に適用され、
予め設定された条件を満たすか否かを判断することと、
予め設定された条件を満たす場合、ＬＡＮサービスの第３の関連操作を実行することとを含む、ＬＡＮサービスの制御方法。
【請求項２８】
前記予め設定された条件は、
第１の要求情報を取得したこと、及びターゲットＬＡＮのＬＡＮ関連情報を生成又は更新したことの少なくとも１つを含み、
前記第１の要求情報は、ターゲットＬＡＮへの端末加入要求情報、及びターゲットＬＡＮ中継とする要求情報の少なくとも１つを含む、請求項２７に記載のＬＡＮサービスの制御方法。
【請求項２９】
前記ＬＡＮサービスの第３の関連操作は、
ターゲットＬＡＮへの端末加入が許可されるか否かを検証すること、
前記ターゲットＬＡＮへの前記端末加入を許可するか否かの情報を送信すること、
前記端末がターゲットＬＡＮ中継とすることが許可されるか否かを検証すること、
前記端末が前記ターゲットＬＡＮ中継とすることを許可するか否かの情報を送信することの少なくとも１つを含む、請求項２７に記載のＬＡＮサービスの制御方法。
【請求項３０】
ターゲットＬＡＮへの前記端末加入が許可された場合、前記ＬＡＮサービスの第３の関連操作は、
前記端末にターゲットＬＡＮのＬＡＮ関連情報を設定することと、
ターゲットＬＡＮのＬＡＮ関連情報を送信することとの少なくとも１つを含み、
前記ターゲットＬＡＮへの前記端末加入が許可されない場合、前記ＬＡＮサービスの第３の関連操作は、前記端末加入が許可されないターゲットＬＡＮのＬＡＮ関連情報を第２のターゲット側に送信することを含む、請求項２９に記載のＬＡＮサービスの制御方法。
【請求項３１】
前記端末が前記ターゲットＬＡＮ中継とすることが許可された場合、前記ＬＡＮサービスの第３の関連操作は、
前記端末にターゲットＬＡＮのＬＡＮ関連情報を設定することと、
前記端末にターゲットＬＡＮのＬＡＮ中継関連情報を設定することと、
ターゲットＬＡＮのＬＡＮ中継関連情報を送信することと、
前記端末加入が許可されたターゲットＬＡＮのＬＡＮ関連情報を送信することとの少なくとも１つを含み、
前記端末がターゲットＬＡＮ中継とすることが許可されない場合、前記ＬＡＮサービスの第３の関連操作は、前記端末がターゲットＬＡＮ中継とすることが許可されない旨のＬＡＮ関連情報を送信することを含む、請求項２９に記載のＬＡＮサービスの制御方法。
【請求項３２】
前記ターゲットＬＡＮへの前記端末加入が許可されるか否かの前記情報は、前記端末による前記ターゲットＬＡＮ関連データチャンネルの確立、又は前記端末に対する前記ターゲットＬＡＮ関連データチャンネルの確立が許可されるか否かの情報である、請求項３０に記載のＬＡＮサービスの制御方法。
【請求項３３】
端末に適用され、
ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得することと、
前記第２の情報に基づいて、ＬＡＮサービスの第４の関連操作を実行することとを含む、ＬＡＮサービスの制御方法。
【請求項３４】
前記の第２の情報を取得することの前に、
ターゲットＬＡＮへの加入要求情報、及びターゲットＬＡＮ中継とする要求情報の少なくとも１つを含む第１の要求情報を送信することをさらに含む、請求項３３に記載のＬＡＮサービスの制御方法。
【請求項３５】
前記ターゲットＬＡＮのＬＡＮ関連情報は、
ターゲットＬＡＮの識別子情報、
マルチキャストを許可するか否か、
ターゲットＬＡＮにおけるマルチキャストの通信アドレス情報、
ＬＡＮにおける前記端末の通信アドレス情報、
ターゲットＬＡＮのサービス範囲情報、
ターゲットＬＡＮにおける通信機器情報、
ＬＡＮをサポートするＤＮＮ情報、
ＬＡＮをサポートするスライス情報の少なくとも１つを含む、請求項３３に記載のＬＡＮサービスの制御方法。
【請求項３６】
前記ターゲットＬＡＮのＬＡＮ中継関連情報は、
ターゲットＬＡＮの識別子情報、
マルチキャストを許可するか否か、
ターゲットＬＡＮにおけるマルチキャストの通信アドレス情報、
ターゲットＬＡＮにおける前記端末の通信アドレス情報、
ターゲットＬＡＮのサービス範囲情報、
ターゲットＬＡＮにおける通信機器情報、
ＬＡＮ中継としての前記端末の通信アドレス、
ＬＡＮ中継のサービス範囲情報、
ＬＡＮ中継によるアクセスが許可された通信機器情報の少なくとも１つを含む、請求項３３に記載のＬＡＮサービスの制御方法。
【請求項３７】
前記ＬＡＮサービスの第４の関連操作は、
ターゲットＬＡＮへの加入、
ターゲットＬＡＮからの離脱、
ターゲットＬＡＮにおける１対１通信、
ターゲットＬＡＮにおける１対多通信、
ターゲットＬＡＮにおける通信機器への中継サービス提供の少なくとも１つを含む、請求項３３に記載のＬＡＮサービスの制御方法。
【請求項３８】
前記のターゲットＬＡＮにおける通信機器への中継サービス提供は、
中継された通信機器のデータパケットに、ターゲットＬＡＮに対応するＶＬＡＮの情報を追加することと、
中継された通信機器について、ターゲットＬＡＮへの加入要求を送信することと、
中継された通信機器について、ターゲットＬＡＮからの離脱要求を送信することとの少なくとも１つを含む、請求項３３に記載のＬＡＮサービスの制御方法。
【請求項３９】
端末のＬＡＮサービスの能力情報、前記端末の位置情報、ＬＡＮサービス契約情報、及びＬＡＮサービス要求情報の少なくとも１つを含むＬＡＮサービス関連情報を送信するための送信モジュールを含む、第１の通信機器。
【請求項４０】
ネットワークのＬＡＮサービス能力情報を送信するための送信モジュールを含む、第２の通信機器。
【請求項４１】
端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得するための取得モジュールと、
前記ＬＡＮサービス関連情報に基づいて、ＬＡＮサービスの第１の関連操作を実行するための実行モジュールとを含む、第３の通信機器。
【請求項４２】
ＬＡＮサービスの関連設定情報、ＬＡＮサービス中継の関連設定情報、及びＬＡＮに関連するルート選択ポリシー情報の少なくとも１つを含む第１の情報を取得するための取得モジュールと、
前記第１の情報に基づいて、ＬＡＮサービスの第２の関連操作を実行するための実行モジュールとを含む、端末。
【請求項４３】
ターゲットＬＡＮへの加入要求情報、及びターゲットＬＡＮ中継とする要求情報の少なくとも１つを含む第１の要求情報を送信するための送信モジュールを含む、端末。
【請求項４４】
予め設定された条件を満たすか否かを判断するための判断モジュールと、
予め設定された条件を満たす場合、ＬＡＮサービスの第３の関連操作を実行するための実行モジュールとを含む、ネットワーク側機器。
【請求項４５】
ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得するための取得モジュールと、
前記第２の情報に基づいて、ＬＡＮサービスの第４の関連操作を実行するための実行モジュールとを含む、端末。
【請求項４６】
プロセッサ、メモリ、及び前記メモリに記憶され、前記プロセッサで実行可能なコンピュータプログラムを含み、前記コンピュータプログラムが前記プロセッサにより実行されると、請求項１〜３８のいずれか１項に記載のＬＡＮサービスの制御方法が実現される、通信機器。
【請求項４７】
コンピュータプログラムが格納されているコンピュータ読み取り可能な記憶媒体であって、
前記コンピュータプログラムがプロセッサによって実行されると、請求項１〜３８のいずれか１項に記載のＬＡＮサービスの制御方法が実現される、コンピュータ読み取り可能な記憶媒体。
【発明の詳細な説明】
【技術分野】
【０００１】
関連出願の相互参照
本出願は、２０１８年８月１０日に中国に提出された中国特許出願番号Ｎｏ．２０１８１０９１２３０２．４の優先権を主張しており、その全内容が引用により本出願に組み込まれている。
【０００２】
本開示の実施例は、無線通信の技術分野に関し、特にＬＡＮサービスの制御方法、及び通信機器に関する。
【背景技術】
【０００３】
鉄道スケジューリング、自動化制御など、多くの垂直産業において通信が必要とされている。５Ｇ通信ネットワークは、垂直産業による通信ニーズを満たすために、ローカルネットワーク（Ｌｏｃａｌ  Ａｒｅａ  Ｎｅｔｗｏｒｋ、ＬＡＮ）タイプのプライベート通信サービスを垂直産業に提供することができる。
【０００４】
しかし、いかにＬＡＮサービスをサポートするかについては、いまのところ、解決していない。
【発明の概要】
【発明が解決しようとする課題】
【０００５】
本開示の実施例は、いかにＬＡＮサービスをサポートするかの問題を解決するために、ＬＡＮサービスの制御方法、端末、及びネットワーク側機器を提供する。
【課題を解決するための手段】
【０００６】
上記技術的課題を解決するために、本開示は以下のように実現される。
【０００７】
第１の態様によれば、本開示の実施例は、第１の通信機器に適用されるＬＡＮサービスの制御方法を提供し、該制御方法は、端末のＬＡＮサービスの能力情報、前記端末の位置情報、ＬＡＮサービス契約情報、及びＬＡＮサービス要求情報の少なくとも１つを含むＬＡＮサービス関連情報を送信することを含む。
【０００８】
第２の態様によれば、本開示の実施例は、第２の通信機器に適用されるＬＡＮサービスの制御方法を提供し、該制御方法は、ネットワークのＬＡＮサービス能力情報を送信することを含む。
【０００９】
第３の態様によれば、本開示の実施例は、第３の通信機器に適用されるＬＡＮサービスの制御方法を提供し、該制御方法は、端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得することと、前記ＬＡＮサービス関連情報に基づいて、ＬＡＮサービスの第１の関連操作を実行することとを含む。
【００１０】
第４の態様によれば、本開示の実施例は、端末に適用されるＬＡＮサービスの制御方法を提供し、該制御方法は、ＬＡＮサービスの関連設定情報、ＬＡＮサービス中継の関連設定情報、及びＬＡＮに関連するルート選択ポリシー情報の少なくとも１つを含む第１の情報を取得することと、前記第１の情報に基づいて、ＬＡＮサービスの第２の関連操作を実行することとを含む。
【００１１】
第５の態様によれば、本開示の実施例は、端末に適用されるＬＡＮサービスの制御方法を提供し、該制御方法は、ターゲットＬＡＮへの加入要求情報、及びターゲットＬＡＮ中継とする要求情報の少なくとも１つを含む第１の要求情報を送信することを含む。
【００１２】
第６の態様によれば、本開示の実施例は、ネットワーク側機器に適用されるＬＡＮサービスの制御方法を提供し、該制御方法は、予め設定された条件を満たすか否かを判断することと、予め設定された条件を満たす場合、ＬＡＮサービスの第３の関連操作を実行することとを含む。
【００１３】
第７の態様によれば、本開示の実施例は、端末に適用されるＬＡＮサービスの制御方法を提供し、該制御方法は、ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得することと、前記第２の情報に基づいて、ＬＡＮサービスの第４の関連操作を実行することとを含む。
【００１４】
第８の態様によれば、本開示の実施例は、端末のＬＡＮサービスの能力情報、前記端末の位置情報、ＬＡＮサービス契約情報、及びＬＡＮサービス要求情報の少なくとも１つを含むＬＡＮサービス関連情報を送信するための送信モジュールを含む第１の通信機器を提供する。
【００１５】
第９の態様によれば、本開示の実施例は、ネットワークのＬＡＮサービス能力情報を送信するための送信モジュールを含む第２の通信機器を提供する。
【００１６】
第１０の態様によれば、本開示の実施例は、端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得するための取得モジュールと、前記ＬＡＮサービス関連情報に基づいて、ＬＡＮサービスの第１の関連操作を実行するための実行モジュールとを含む第３の通信機器を提供する。
【００１７】
第１１の態様によれば、本開示の実施例は、ＬＡＮサービスの関連設定情報、ＬＡＮサービス中継の関連設定情報、及びＬＡＮに関連するルート選択ポリシー情報の少なくとも１つを含む第１の情報を取得するための取得モジュールと、前記第１の情報に基づいて、ＬＡＮサービスの第２の関連操作を実行するための実行モジュールとを含む端末を提供する。
【００１８】
第１２の態様によれば、本開示の実施例は、ターゲットＬＡＮへの加入要求情報、及びターゲットＬＡＮ中継とする要求情報の少なくとも１つを含む第１の要求情報を送信するための送信モジュールを含む端末を提供する。
【００１９】
第１３の態様によれば、本開示の実施例は、予め設定された条件を満たすか否かを判断するための判断モジュールと、予め設定された条件を満たす場合、ＬＡＮサービスの第３の関連操作を実行するための実行モジュールとを含むネットワーク側機器を提供する。
【００２０】
第１４の態様によれば、本開示の実施例は、ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得するための取得モジュールと、前記第２の情報に基づいて、ＬＡＮサービスの第４の関連操作を実行するための実行モジュールとを含む端末を提供する。
【００２１】
第１５の態様によれば、本開示の実施例は、プロセッサ、メモリ、及び前記メモリに記憶され、前記プロセッサで実行可能なコンピュータプログラムを含み、前記コンピュータプログラムが前記プロセッサにより実行されると、上記ＬＡＮサービスの制御方法が実現される通信機器を提供する。
【００２２】
第１６の態様によれば、本開示の実施例は、プロセッサにより実行されると、上記ＬＡＮサービスの制御方法を実現するコンピュータプログラムが記憶されているコンピュータ読み取り可能な記憶媒体を提供する。
【発明の効果】
【００２３】
本開示の実施例によれば、通信ネットワークでのＬＡＮサービスの発現及び設定をサポートし、端末のＬＡＮ通信をサポートする一方、端末がＬＡＮにおける通信機器の中継とすることをサポートすることにより、既存の通信機器と互換することを可能にし、既存の通信機器が通信ネットワークを介してＬＡＮ通信にアクセスできるようにする。
【図面の簡単な説明】
【００２４】
以下の好適実施形態の詳細から、他の各種の利点及び効果が、当業者にとって明らかになる。図面は好適実施形態を示す目的のみに使用され、本開示を制限するものではない。図面を通じて、同じ符号は同じ部材を表す。
【図１】本開示の一実施例のＬＡＮサービスのシステム構造模式図である。
【図２】本開示の別の実施例のＬＡＮサービスのシステム構造模式図である。
【図３】本開示の一実施例のＬＡＮにおいてイーサネット方式に基づいて伝送する場合のプロトコルスタック模式図である。
【図４】本開示の別の実施例のＬＡＮにおいてイーサネット方式に基づいて伝送する場合のプロトコルスタック模式図である。
【図５】本開示の一実施例のＬＡＮにおいてＩＰ方式に基づいて伝送する場合のプロトコルスタック模式図である。
【図６】本開示の一実施例のＬＡＮサービスの制御方法の模式的フローチャートである。
【図７】本開示の一実施例のＬＡＮサービスの制御方法の模式的フローチャートである。
【図８】本開示の一実施例のＬＡＮサービスの制御方法の模式的フローチャートである。
【図９】本開示の一実施例のＬＡＮサービスの制御方法の模式的フローチャートである。
【図１０】本開示の一実施例のＬＡＮサービスの制御方法の模式的フローチャートである。
【図１１】本開示の一実施例のＬＡＮサービスの制御方法の模式的フローチャートである。
【図１２】本開示の一実施例のＬＡＮサービスの制御方法の模式的フローチャートである。
【図１３】本開示の実施例１のＬＡＮサービスの制御方法の模式的フローチャートである。
【図１４】本開示の実施例２のＬＡＮサービスの制御方法の模式的フローチャートである。
【図１５】本開示の実施例３のＬＡＮサービスの制御方法の模式的フローチャートである。
【図１６】本開示の一実施例の第１の通信機器の構造模式図である。
【図１７】本開示の一実施例の第２の通信機器の構造模式図である。
【図１８】本開示の一実施例の第３の通信機器の構造模式図である。
【図１９】本開示の一実施例の端末の構造模式図である。
【図２０】本開示の一実施例の端末の構造模式図である。
【図２１】本開示の一実施例のネットワーク側機器の構造模式図である。
【図２２】本開示の一実施例の端末の構造模式図である。
【図２３】本開示の一実施例の端末の構造模式図である。
【発明を実施するための形態】
【００２５】
本開示の実施例では、ＬＡＮサービス（ＬＡＮタイプサービスとも呼ばれる）は、通信ネットワーク（たとえば第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）ネットワーク）で提供されるプライベート通信サービスを指すことができる。５Ｇ  ＬＡＮタイプサービスは、５Ｇ通信ネットワークで提供されるプライベート通信サービスを指すことができる。前記プライベート通信サービスは、ネットワークプロトコル（Ｉｎｔｅｒｎｅｔ  Ｐｒｏｔｏｃｏｌ、ＩＰ）タイプ又は非ＩＰタイプに基づくものであってもよい。非ＩＰタイプ通信はたとえばイーサネットである。ＬＡＮサービスはプライベート通信ネットワーク上に配置されてもよいし、パブリック通信ネットワーク上に配置されてもよい。
【００２６】
本開示の別の実施例では、ＬＡＮはローカルネットワーク（たとえばローカルエリアネットワーク）と呼ばれてもよい。ＬＡＮでは、一組の機器（たとえば端末）にプライベート通信サービスを提供する。ＬＡＮは、ポート、ＩＰサブネット、仮想ローカルエリアネットワーク（Ｖｉｒｔｕａｌ  Ｌｏｃａｌ  Ａｒｅａ  Ｎｅｔｗｏｒｋ、ＶＬＡＮ）、及びメディアアクセス制御（Ｍｅｄｉｕｍ  Ａｃｃｅｓｓ  Ｃｏｎｔｒｏｌ、ＭＡＣ）アドレスの少なくとも１つの方式に基づいて配置されることができる。ＶＬＡＮは１つの物理的ローカルネットワークを理論的に複数のブロードキャストドメインに分割する技術である。ＶＬＡＮを設定することにより、データの送信範囲を隔離し、またＶＬＡＮ内の通信の安全性を向上させることができる。
【００２７】
ＬＡＮサービスをサポートする端末は１つ又は複数のＬＡＮにアクセスできる。ＬＡＮタイプサービスをサポートする端末は、アクセスしているＬＡＮから離脱することもできる。一般には、ＬＡＮはメンバー機器のアクセスしか許可しない。一部のオープンＬＡＮでは、メンバー以外の機器が一時的にアクセスすることもサポートできる。
【００２８】
本開示の実施例では、プライベート仮想ネットワーク（Ｐｒｉｖａｔｅ  Ｖｉｒｔｕａｌ  Ｎｅｔｗｏｒｋ、ＰＶＮ）は、ＬＡＮタイプサービスをサポートするプライベート仮想ネットワークであってもよい。ＰＶＮ及びＬＡＮの概念は交換して使用することがあり、プライベート通信サービスをサポートするネットワーク又はプライベート通信サービスをサポートする一組の機器を指すことができる。
【００２９】
図１及び図２は、本開示の実施例のＬＡＮサービスのシステム構造模式図であり、図１には、ＬＡＮの機器（図１のユーザインターフェース機能（ＵＰＦ）の右側の機器）はモバイル通信ネットワークを介してＬＡＮに直接アクセスできる。
【００３０】
図２には、ＬＡＮの機器（図１のＵＰＦの右側の機器）は、モバイル通信ネットワークの端末（このとき、モバイル通信ネットワークの端末は中継として機能する）を介してＬＡＮにアクセスしてもよい。
【００３１】
ＬＡＮサービスをサポートするには、以下の問題を解決しなければならない。
【００３２】
問題１：１つの端末が１つ又は複数のＬＡＮ（ＬＡＮはＬＡＮ群とも呼ばれる）に加入することを許可される。端末が所在する位置において、どのＬＡＮが存在するか、どのＬＡＮでは端末加入が許可されるか、どのＬＡＮでは端末加入が許可されないか、ＬＡＮにはサービス範囲の制限が存在するか、どの位置でＬＡＮにアクセスできるか、どの位置でＬＡＮにアクセスできないかは、また不明である。
【００３３】
問題２：ＬＡＮサービスのアーキテクチャがまだ不明である。ＬＡＮは、以下の複数の配置タイプを有する。１）ＬＡＮは１つの通信ネットワーク（たとえば５Ｇネットワーク）内に配置されている。２）ＬＡＮは複数の通信ネットワーク（たとえば５Ｇネットワーク）ネットワーク上、たとえばクロスオペレーターネットワーク、たとえばクロスプライベート通信ネットワーク（略してプライベートネットワーク）及びパブリック通信ネットワーク（略してパブリックネットワーク）に配置されている。３）ＬＡＮはモバイル通信ネットワーク（たとえば３ＧＰＰネットワーク）及び他の非モバイル通信ネットワーク（たとえば有線通信）上に配置されている。このため、ＬＡＮサービスの制御はコアネットワーク（ＣＮ）機器において強化されることに適していない。アーキテクチャに関しては、アプリケーション層のネットワーク機能ユニット、たとえばＬＡＮ制御機能が必要とされる場合はある。
【００３４】
問題３：ＬＡＮにアクセスして通信するのに必要な設定情報はまた不明である。
【００３５】
ＬＡＮにおける伝送メカニズムは、１）ＭＡＣ（たとえばイーサネット）に基づく、２）インターネットプロトコル（ＩＰ）ネットワークに基づく、又は３）仮想ローカルエリアネットワーク（Ｖｉｒｔｕａｌ  Ｌｏｃａｌ  Ａｒｅａ  Ｎｅｔｗｏｒｋ、ＶＬＡＮ）に基づくものであってもよい。ＶＬＡＮの方式は様々であり、たとえばＩＰサブネット、メディアアクセス制御（ＭＡＣ）アドレス、ポート、ＶＬＡＮプロトコル（たとえば８０２．１Ｑ）などに基づく。
【００３６】
ＩＰネットワークに基づく場合、端末はＬＡＮにアクセスするに先立って、ＬＡＮをサポートするゲートウェイ（たとえばＵＰＦ）にアクセスする。中継方式に関しては、１つのＬＡＮに加入するには、ＬＡＮ内の中継を選択してもよい。ＬＡＮゲートウェイ又は中継をサポートする情報の設定や選択はまだ不明である（ＤＮＮ、スライス情報）。
【００３７】
ＶＬＡＮに基づく場合、端末はデータを送信する際にＶＬＡＮのタグ情報を必要とするが、アクセスするＬＡＮのＶＬＡＮタグ情報をどのように取得するかもまだ不明である。
【００３８】
ＭＡＣ方式に基づく場合、端末はＬＡＮ通信中のＭＡＣアドレスを取得する必要がある。
【００３９】
問題３：ＬＡＮにおいていかに１対１通信をサポートするか。
【００４０】
端末は、ＬＡＮにおける他の機器と通信する場合、ＬＡＮにおけるメンバーのアドレス情報又はサーバのアドレス情報を予め取得し、マルチキャストに関与するか又はマルチキャストを開始させる場合、マルチキャストアドレスを取得する必要がある。
【００４１】
問題４：端末におけるアプリケーションはＬＡＮ（たとえばプリンタアプリケーション）へのアクセスが許可されるアプリケーション、又はＬＡＮ内で許可されないアプリケーションであってもよい。アプリケーションのデータチャンネルの確立をいかに制限するかはまだ不明である。
【００４２】
以下、図１及び図２を参照して、ＬＡＮにおける伝送メカニズムを説明する。
【００４３】
図１を参照すると、図１に示すＬＡＮのユーザプレーン模式図において、端末はＬＡＮにおける機器である。
【００４４】
図１には、機器１は有線接続を通じてＬＡＮにアクセスする。
【００４５】
機器２、機器３及び機器４は無線接続（ＲＡＮ）を通じてＬＡＮにアクセスする。
‐ＩＰサブネット方式に基づく場合、ＵＰＦは、機器２、機器３及び機器４にＩＰサブネット内のアドレスをマッピングする必要がある。
‐ＶＬＡＮ方式に基づく場合
■端末にＶＬＡＮタグを追加し、ＵＰＦはＶＬＡＮに基づいてルーティングする。
■又は、端末にはＶＬＡＮタグを追加しておらず、ＵＰＦには、機器２、機器３及び機器４の代わりにＶＬＡＮタグ（ＶＬＡＮ識別子とも呼ばれる）を追加した後、ルーティングする。
‐ＭＡＣ方式に基づく場合、ＵＰＦはＭＡＣとＬＡＮとの関係をバインドする必要がある。
‐ポート方式に基づく場合、ＵＰＦはＭＡＣとポートとの関係をバインドする必要がある。
【００４６】
図２を参照すると、図２に示すＬＡＮのユーザプレーン模式図において、端末はＬＡＮ機器の中継として機能する。中継方式は、ＩＰ又は非ＩＰ（たとえばイーサネット方式）に基づくものであってもよい。
【００４７】
機器１は有線接続を通じてＬＡＮにアクセスする。
【００４８】
端末１、２は無線接続を通じてＬＡＮにアクセスする。
【００４９】
機器２、３は端末１を通じてＬＡＮにアクセスする。
【００５０】
機器４は端末２を通じてＬＡＮにアクセスする。
【００５１】
‐ＩＰサブネット方式に基づく場合、端末は、機器２、３、４にＩＰサブネット内のアドレスをマッピングする必要がある。
‐ＶＬＡＮ方式に基づく場合、
■機器にＶＬＡＮタグを追加し、端末はポケットを転送すればよい。
■又は、機器にＶＬＡＮタグを追加しておらず、端末に機器２、３、４の代わりとしてＶＬＡＮタグ（ＶＬＡＮ識別子とも呼ばれる）を追加された後、ルーティングする。
■又は、端末及び機器のいずれにもＶＬＡＮタグを追加しておらず、ＵＰＦには機器２、３、４の代わりにＶＬＡＮタグ（ＶＬＡＮ識別子とも呼ばれる）を追加された後、ルーティングする。
◆データチャンネルとＶＬＡＮがバインドされていない限り、ＵＰＦは区別できない。
‐ＭＡＣ方式に基づく場合、端末はＭＡＣとＬＡＮとの関係をバインドする必要がある。
‐ポート方式に基づく場合、端末はＭＡＣとポートとの関係をバインドする必要がある。
【００５２】
図３及び図４はＬＡＮにおいてイーサネット方式に基づいて伝送する場合のプロトコルスタック模式図である。図３には、端末はＬＡＮにおける機器、図４には、端末はＬＡＮにおける機器の中継として機能する。
【００５３】
図５はＬＡＮにおいてＩＰ方式に基づいて伝送する場合のプロトコルスタック模式図である。図５には、端末はＬＡＮにおける機器として機能する。
【００５４】
本開示の実施例に係る一部の用語は以下のとおりである。
【００５５】
本開示の実施例では、「ＬＡＮにアクセス」、「ＬＡＮに訪問」又は「ＬＡＮへ加入」は同じ意味であってもよく、交換使用が可能である。ＬＡＮにアクセスするとは、端末が前記ＬＡＮに接続されること、端末が前記ＬＡＮのメンバーとなることの少なくとも１つを意味する。
【００５６】
本開示の実施例では、「ＬＡＮタイプサービスにアクセス」、「ＬＡＮタイプサービスに訪問」又は「ＬＡＮタイプサービスへ加入」は、同じ意味であってもよく、交換使用が可能である。
【００５７】
本開示の実施例では、「ＬＡＮからの離脱」は、ＬＡＮ通信に参加しないこと、ＬＡＮのサービス範囲を離れること、ＬＡＮへのアクセスを許可しないこと、ＬＡＮのメンバーではないことの少なくとも１つを意味する。
【００５８】
本開示の実施例では、「ＬＡＮタイプサービスからの離脱」は、ＬＡＮタイプサービスに参加しないこと、ＬＡＮタイプサービスのサービス範囲を離れること、ＬＡＮタイプサービスを許可しないこと、ＬＡＮタイプサービス（たとえばＬＡＮタイプサービス能力をシャットダウン）をサポートしないことの少なくとも１つを意味する。
【００５９】
本開示の実施例では、ＬＡＮ管理機能はＬＡＮ制御機能又はＬＡＮ機能と呼ばれてもよい。前記ＬＡＮ管理機能は、ＬＡＮタイプサービス、たとえばＬＡＮタイプサービスの認可、ＬＡＮ内の通信などを管理することができる。ＡＭＦなど他のネットワーク要素と同時に設置してもよく、独立したネットワーク要素としてもよく、具体的には、実際なニーズに応じて決定し、本開示の実施例ではこれについて限定しない。
【００６０】
本開示の実施例では、「ＬＡＮサービス」及び「ＬＡＮタイプサービス」は同じ意味であってもよく、交換使用が可能である。
【００６１】
本開示の実施例では、ＶＬＡＮの情報は、ＶＬＡＮのタイプ情報、ＶＬＡＮの識別子情報の少なくとも１つを含む。
【００６２】
本開示の実施例では、ＶＬＡＮの識別子情報はＶＬＡＮのタグ情報と呼ばれてもよい。一実施形態では、ＶＬＡＮはＩＥＥＥ  ８０２．１Ｑで定義されたＶＬＡＮである。ＶＬＡＮの識別子情報は、Ｓ−ＴＡＧ  ＶＩＤ、Ｃ−ＴＡＧ  ＶＩＤ、ＰＣＰの少なくとも１つをさらに含んでもよい。
【００６３】
ＶＬＡＮタイプは、ポートに基づくＶＬＡＮ、ＩＰサブネットに基づくＶＬＡＮ、ＶＬＡＮプロトコルに基づくＶＬＡＮ、及びＭＡＣアドレスに基づくＶＬＡＮの少なくとも１つを含むことができる。
【００６４】
本開示の実施例では、プライベート通信ネットワークは、略してプライベートネットワークとしてもよい。プライベート通信ネットワークは、仮想プライベート通信ネットワーク（ＰＶＮ）、ＴｙｐａＡネットワーク、ＴｙｐｅＢネットワークを含むことができる。
【００６５】
本開示の実施例では、パブリック通信ネットワークは、略してパブリックネットワークとしてもよい。パブリック通信ネットワークは、公衆陸上モバイルネットワーク（Ｐｕｂｌｉｃ  Ｌａｎｄ  Ｍｏｂｉｌｅ  Ｎｅｔｗｏｒｋ、ＰＬＭＮ）を含むことができる。
【００６６】
本開示の実施例では、ルート選択ポリシー情報は、アプリケーションのルートポリシー、端末ルート選択ポリシー（ＵＥ  Ｒｏｕｔｅ  Ｓｅｌｅｃｔｉｏｎ  Ｐｏｌｉｃｙ、ＵＲＳＰ）の少なくとも１つと称してもよい。
【００６７】
本開示の実施例では、アプリケーションによるアクセスが許可されたＬＡＮは、アプリケーションに関連付けられたＬＡＮ、又はＬＡＮのアプリケーションと理解できる。一実施形態では、アプリケーションがデータを生成するときに、端末はこのアプリケーションについて許可されるＬＡＮにアクセスし、アプリケーションのデータをＬＡＮに送信することができる。１つのアプリケーションは、ＬＡＮだけにアクセスして通信するか、又はＬＡＮとパブリックネットワークに同時にアクセスすることができる。
【００６８】
本開示の実施例では、「データ」と「データパケット」は、同じ意味であってもよく、交換使用が可能である。
【００６９】
本開示の実施例では、取得とは、設定から取得すること、受信して取得することと、要求により受信して取得することと、自己学習により取得することと、受信していない情報から推定して取得することと、又は受信した情報に基づいて処理して取得することの少なくとも１つとして理解でき、たとえば機器から送信されたある能力指示情報を受信していない場合、該機器がこの能力をサポートしないと推定できる。具体的には、実際なニーズに応じて決定でき、本開示の実施例では、これについて限定しない。
【００７０】
本開示の実施例では、アプリケーションは、端末にインストールされるアプリケーション又はドライバであり得る。
【００７１】
本開示の実施例では、通信機器は端末及びネットワーク側機器を含むことができる。
【００７２】
端末はユーザ端末（Ｕｓｅｒ  Ｅｑｕｉｐｍｅｎｔ、ＵＥ）と呼ばれてもよく、具体的に実現する際に、端末は携帯電話、タブレットパーソナルコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）、車載機器などの端末側機器、ドローン、通信機能をサポートする機器、端末機能をサポートする中継、中継機能をサポートする端末であってもよい。端末は、ＭＥ、チップ、カード（たとえばＳＩＭ、ＵＩＣＣ（ユニバーサル集積回路カード（Ｕｎｉｖｅｒｓａｌ  Ｉｎｔｅｇｒａｔｅｄ  Ｃｉｒｃｕｉｔ  Ｃａｒｄ、ＵＩＣＣ）、又は汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ、ＵＳＩＭ））の少なくとも１つ又は複数の組み合わせであってもよい。なお、本開示の実施例では、端末のタイプを特に限定しない。
【００７３】
ネットワーク側機器は、ラジオアクセスネットワーク（Ｒａｄｉｏ  Ａｃｃｅｓｓ  Ｎｅｔｗｏｒｋ、ＲＡＮ）ネットワーク要素、コアネットワーク（Ｃｏｒｅ  Ｎｅｔｗｏｒｋ、ＣＮ）ネットワーク要素の少なくとも１つを含むことができる。
【００７４】
さらに、ＣＮネットワーク要素は、コアネットワーク機器、コアネットワークノード、コアネットワーク機能、コアネットワークネットワークユニット、モビリティ管理エンティティ（Ｍｏｂｉｌｉｔｙ  Ｍａｎａｇｅｍｅｎｔ  Ｅｎｔｉｔｙ、ＭＭＥ）、アクセス管理機能（Ａｃｃｅｓｓ  Ｍａｎａｇｅｍｅｎｔ  Ｆｕｎｃｔｉｏｎ、ＡＭＦ）、セッション管理機能（Ｓｅｓｓｉｏｎ  Ｍａｎａｇｅｍｅｎｔ  Ｆｕｎｃｔｉｏｎ、ＳＭＦ）、ユーザプレーン機能（Ｕｓｅｒ  Ｐｌａｎｅ  Ｆｕｎｃｔｉｏｎ、ＵＰＦ）、サービスゲートウェイ  （ｓｅｒｖｉｎｇ  ＧＷ、ＳＧＷ）、ＰＤＮゲートウェイ（ＰＤＮ  Ｇａｔｅ  Ｗａｙ、ＰＤＮゲートウェイ）、ポリシー制御機能（Ｐｏｌｉｃｙ  Ｃｏｎｔｒｏｌ  Ｆｕｎｃｔｉｏｎ、ＰＣＦ）、ポリシー及び課金ルール機能ユニット（Ｐｏｌｉｃｙ  ａｎｄ  Ｃｈａｒｇｉｎｇ  Ｒｕｌｅｓ  Ｆｕｎｃｔｉｏｎ、ＰＣＲＦ）、ＧＰＲＳサービスサポートノード（Ｓｅｒｖｉｎｇ  ＧＰＲＳ  Ｓｕｐｐｏｒｔ  Ｎｏｄｅ、ＳＧＳＮ）、ゲートウェイＧＰＲＳサポートノード（Ｇａｔｅｗａｙ  ＧＰＲＳ  Ｓｕｐｐｏｒｔ  Ｎｏｄｅ、ＧＧＳＮ）、ＬＡＮ制御機能、統合データ管理（Ｕｎｉｆｉｅｄ  Ｄａｔａ  Ｍａｎａｇｅｍｅｎｔ、ＵＤＭ）、ＰＣＦ（Ｐｏｌｉｃｙ  Ｃｏｎｔｒｏｌ  ｆｕｎｃｔｉｏｎ、ポリシー制御機能）、ＬＡＮアプリケーションサーバーの少なくとも１つを含みうるが、これらに制限されない。
【００７５】
本開示の実施例では、ＬＡＮ制御機能はＬＡＮ管理機能又はＬＡＮ機能とも呼ばれる。前記ＬＡＮ制御機能は、ＬＡＮタイプサービス、たとえばＬＡＮタイプサービスの認可、ＬＡＮ内の通信などの制御に用いられ得る。
【００７６】
ＲＡＮネットワーク要素は、ラジオアクセスネットワーク機器、ラジオアクセスネットワークノード、ラジオアクセスネットワーク機能、ラジオアクセスネットワークネットワークユニット、３ＧＰＰラジオアクセスネットワーク、非３ＧＰＰラジオアクセスネットワーク、集中ユニット（Ｃｅｎｔｒａｌｉｚｅｄ  Ｕｎｉｔ、ＣＵ）、分散ユニット（Ｄｉｓｔｒｉｂｕｔｅｄ  Ｕｎｉｔ、ＤＵ）、基地局、進化基地局（ｅｖｏｌｖｅｄ  Ｎｏｄｅ  Ｂ、ｅＮＢ）、５Ｇ基地局（ｇＮＢ）、ラジオネットワークコントローラ（Ｒａｄｉｏ  Ｎｅｔｗｏｒｋ  Ｃｏｎｔｒｏｌｌｅｒ、ＲＮＣ）、基地局（ＮｏｄｅＢ）、非３ＧＰＰインターワーキング機能（Ｎｏｎ−３ＧＰＰ  Ｉｎｔｅｒ  Ｗｏｒｋｉｎｇ  Ｆｕｎｃｔｉｏｎ、Ｎ３ＩＷＦ）、アクセス制御（Ａｃｃｅｓｓ  Ｃｏｎｔｒｏｌｌｅｒ、ＡＣ）ノード、アクセスポイント（Ａｃｃｅｓｓ  Ｐｏｉｎｔ、ＡＰ）機器又は無線ローカルエリアネットワーク（Ｗｉｒｅｌｅｓｓ  Ｌｏｃａｌ  Ａｒｅａ  Ｎｅｔｗｏｒｋｓ、ＷＬＡＮ）ノードの少なくとも１つを含みうるが、これらに制限されない。
【００７７】
基地局は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよいし、ＷＣＤＭＡにおける基地局（ＮｏｄｅＢ）であってもよいし、ＬＴＥにおける進化基地局（ｅＮＢ又はｅ−ＮｏｄｅＢ、ｅｖｏｌｕｔｉｏｎａｌ  Ｎｏｄｅ  Ｂ）、ｎｇ−ｅＮＢ及び５Ｇ基地局（ｇＮＢ）であってもよく、本開示の実施例では限定しない。
【００７８】
以下、本開示の実施例の図面を参照しながら、本開示の実施例の技術案を明瞭且つ完全に説明するが、明らかなように、説明する実施例は本開示の実施例の一部であり、すべての実施例ではない。当業者が本開示の実施例に基づいて創造的な努力を必要とせずに取得するすべての他の実施例は、本開示の特許範囲に属する。
【００７９】
本出願の明細書及び特許請求の範囲における用語「含む」及びこの任意の変形は、非排他的な包含を意図しており、たとえば、一連のステップ又はユニットを含む過程、方法、システム、製品又は機器は、明確に挙げられたステップ又はユニットに制限されず、明確に挙げられていない、又はこれらの過程、方法、製品又は機器に固有の他のステップ又はユニットも含む。さらに、明細書及び特許請求の範囲で使用される「及び／又は」は、接続対象の少なくとも１つを意味し、たとえばＡ及び／又はＢは、Ａ単独、Ｂ単独、及びＡとＢの両方が存在するという３つの場合を含む。
【００８０】
本開示の実施例では、「例示的には」又は「たとえば」などの用語は、例、実例又は説明であることを表す。本開示の実施例では、「例示的には」又は「たとえば」で説明されるいずれの実施例又は設計形態は、他の実施例又は設計形態よりも好ましい、又は優位性を有すると理解できない。正確には、「例示的には」又は「たとえば」などの用語は、具体的な形態をもって関連する概念を例示するために用いられる。
【００８１】
図６は、本開示の一実施例のＬＡＮサービスの制御方法であり、該制御方法は、第１の通信機器に適用され、図６を参照すると、該制御方法は、ステップ６１を含む。
ステップ６１：端末のＬＡＮサービスの能力情報、前記端末の位置情報、ＬＡＮサービス契約情報、及びＬＡＮサービス要求情報の少なくとも１つを含むＬＡＮサービス関連情報を送信する。
【００８２】
本開示の実施例では、第１の通信機器は、端末、及び統合データ管理（Ｕｎｉｆｉｅｄ  Ｄａｔａ  Ｍａｎａｇｅｍｅｎｔ、ＵＤＭ）の少なくとも１つであってもよい。前記端末は、中継機能を有する端末を含むことができる。
【００８３】
前記第１の通信機器が端末である場合、前記ＬＡＮサービス関連情報は、端末のＬＡＮサービスの能力情報、前記端末の位置情報、及びＬＡＮサービス要求情報の少なくとも１つを含むことができる。
【００８４】
前記第１の通信機器がＵＤＭである場合、前記ＬＡＮサービス関連情報は、ＬＡＮサービス契約情報を含む。
【００８５】
本開示の実施例では、前記第１の通信機器は、第３の通信機器に前記ＬＡＮサービス関連情報を送信する。第３の通信機器は、ネットワーク側機器、端末（たとえば中継としての端末）、ＡＭＦ、ＬＡＮ管理機能の少なくとも１つを含むことができる。
【００８６】
オプションとして、前記端末のＬＡＮサービスの能力情報は、ＬＡＮサービスをサポートするか否か、及びＬＡＮサービスの中継とすることをサポートするか否かの少なくとも１つを含む。
【００８７】
オプションとして、前記ＬＡＮサービス要求情報は、ＬＡＮサービス中継としての要求、及びＬＡＮサービスへのアクセス要求の少なくとも１つを含む。
【００８８】
前記ＬＡＮサービス関連情報が前記ＬＡＮサービス要求情報を含む場合、さらに、ＬＡＮサービス関連情報を送信する前記ステップは、
予め設定された条件を満たす場合、前記ＬＡＮサービス要求情報を送信するステップを含み、
前記予め設定された条件は、ネットワークのＬＡＮサービス能力情報を取得したことを含む。
【００８９】
本開示の実施例では、第１の通信機器は、端末（たとえば中継機能を有する端末）、ＲＡＮネットワーク要素、及びＣＮネットワーク要素のうちの少なくとも１つから、ネットワークのＬＡＮサービス能力情報を取得することができる。
【００９０】
オプションとして、前記ネットワークのＬＡＮサービス能力情報は、ＬＡＮサービスをサポートするか否かの指示情報、サポートするＬＡＮのＬＡＮ関連情報、サポートしないＬＡＮのＬＡＮ関連情報の少なくとも１つを含む。
【００９１】
本開示の実施例では、第１の通信機器は端末に関連するＬＡＮサービス関連情報を送信し、前記ＬＡＮサービス関連情報を受信した第３の通信機器（たとえばネットワーク側機器）が、前記ＬＡＮサービス関連情報に基づいて、対応するＬＡＮサービス関連操作を実行できるようにする。
【００９２】
図７は本開示の一実施例のＬＡＮサービスの制御方法であり、該制御方法は第２の通信機器に適用され、図７を参照すると、該制御方法はステップ７１を含む。
ステップ７１：ネットワークのＬＡＮサービス能力情報を送信する。
【００９３】
本開示の実施例では、前記第２の通信機器は、端末（たとえば中継機能を有する端末）、ＲＡＮネットワーク要素、及びＣＮネットワーク要素の少なくとも１つを含むことができる。
【００９４】
一実施形態では、ネットワークのＬＡＮサービス能力情報はシステム情報ブロードキャストに含まれることができる。
【００９５】
本開示の実施例では、前記第２の通信機器は、第１の通信機器にネットワークのＬＡＮサービス能力情報を送信することができる。
【００９６】
オプションとして、前記ネットワークのＬＡＮサービス能力情報は、ＬＡＮサービスをサポートするか否かの指示情報、サポートするＬＡＮのＬＡＮ関連情報、及びサポートしないＬＡＮのＬＡＮ関連情報の少なくとも１つを含む。
【００９７】
本開示の実施例では、前記第２の通信機器は、第１の通信機器にネットワークのＬＡＮサービス能力情報を送信し、第１の通信機器がネットワークのＬＡＮサービス能力情報に基づいて、ＬＡＮサービス要求情報を送信するか否かを決定するようにする。
【００９８】
図８は本開示の一実施例のＬＡＮサービスの制御方法であり、該制御方法は第３の通信機器に適用され、図８を参照すると、該制御方法はステップ８１とステップ８２を含む。
ステップ８１：端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得する。
ステップ８２：前記ＬＡＮサービス関連情報に基づいて、ＬＡＮサービスの第１の関連操作を実行する。
【００９９】
本開示の実施例では、前記第３の通信機器は、ネットワーク側機器、ＡＭＦ、ＬＡＮ制御機能、端末（たとえば中継としての端末）の少なくとも１つを含むことができる。
【０１００】
本開示の実施例では、前記第３の通信機器は、第１の通信機器から、端末に関連する前記ＬＡＮサービス関連情報を取得することができる。第１の通信機器は、端末、及びＵＤＭの少なくとも１つであってもよい。
【０１０１】
前記第３の通信機器が端末に関連する前記ＬＡＮサービス関連情報を端末から取得するときに、前記ＬＡＮサービス関連情報は、前記端末のＬＡＮサービスの能力、前記端末の位置情報、及びＬＡＮサービス要求情報の少なくとも１つを含むことができる。
【０１０２】
前記通信機器が、端末に関連する前記ＬＡＮサービス関連情報をＵＤＭから取得する場合、前記ＬＡＮサービス関連情報はＬＡＮサービス契約情報を含むことができる。
【０１０３】
オプションとして、前記端末のＬＡＮサービスの能力情報は、ＬＡＮサービスをサポートするか否か、及びＬＡＮサービスの中継とすることをサポートするか否かの少なくとも１つを含む。
【０１０４】
オプションとして、前記ＬＡＮサービス要求情報は、ＬＡＮサービス中継としての要求、及びＬＡＮサービスへのアクセス要求の少なくとも１つを含む。
【０１０５】
オプションとして、前記ＬＡＮサービスの第１の関連操作は、
−前記端末にＬＡＮサービスの関連設定情報を設定すること、
−前記端末にＬＡＮサービス中継の関連設定情報を設定すること、
−前記端末にＬＡＮに関連するルート選択ポリシー情報を設定すること、
−ＬＡＮサービスの関連設定情報を送信すること、
−ＬＡＮサービス中継の関連設定情報を送信すること、
−ＬＡＮに関連するルート選択ポリシー情報を送信すること、
−前記端末加入が許可されたＬＡＮのＬＡＮ関連情報を送信すること、
−前記端末加入が許可されないＬＡＮのＬＡＮ関連情報を送信することの少なくとも１つを含む。
【０１０６】
本開示の実施例では、第１のターゲット側に以下の少なくとも１つを送信することができる。
−第１のターゲット側にＬＡＮサービスの関連設定情報を送信すること、
−第１のターゲット側にＬＡＮサービス中継の関連設定情報を送信すること、
−第１のターゲット側にＬＡＮに関連するルート選択ポリシー情報を送信すること。
【０１０７】
本開示の実施例では、第２のターゲット側に以下の少なくとも１つを送信することができる。
−第２のターゲット側に、前記端末加入が許可されたＬＡＮのＬＡＮ関連情報を送信すること、
−第２のターゲット側に、前記端末加入が許可されないＬＡＮのＬＡＮ関連情報を送信すること。
【０１０８】
前記第１のターゲット側及び前記第２のターゲット側は、同じであってもよく、異なってもよい。第１のターゲット側は、端末及び／又はＵＤＭであってもよい。第２のターゲット側も端末及び／又はＵＤＭであってもよい。
【０１０９】
オプションとして、前記ＬＡＮサービスの関連設定情報は、以下の少なくとも１つを含む。
−ＬＡＮサービスを許可するか否かの情報、
−ＬＡＮサービスのサービス範囲情報、
−加入が許可されたＬＡＮのＬＡＮ関連情報、
−加入が許可されないＬＡＮのＬＡＮ関連情報、
−ＬＡＮサービスをサポートするＤＮＮ情報、
−ＬＡＮサービスをサポートするスライス情報。
【０１１０】
一実施形態では、端末の位置が異なると、加入が許可されたＬＡＮは異なってもよい。
【０１１１】
オプションとして、前記ＬＡＮサービス中継の関連設定情報は、以下の少なくとも１つを含む。
−ＬＡＮサービス中継とすることを許可するか否かの情報、
−ＬＡＮサービス中継のサービス範囲情報、
−中継を許可するＬＡＮのＬＡＮ中継関連情報、
−中継を許可しないＬＡＮのＬＡＮ中継関連情報、
−中継を許可するＬＡＮのＬＡＮ関連情報、
−中継を許可しないＬＡＮのＬＡＮ関連情報。
【０１１２】
オプションとして、前記ＬＡＮに関連するルート選択ポリシー情報は、以下の少なくとも１つを含む。
−アプリケーションによるＬＡＮサービスへのアクセスが許可されるか否か（関連するか否かとも呼ばれる）、
−アプリケーションによるアクセスが許可されたＬＡＮのＬＡＮ関連情報、
−アプリケーションによるアクセスが許可されないＬＡＮのＬＡＮ関連情報、
−アプリケーションに関連付けられたＬＡＮのデータネットワーク名（Ｄａｔａ  Ｎｅｔｗｏｒｋ  Ｎａｍｅ、ＤＮＮ）情報、
−アプリケーションに関連付けられたＬＡＮのスライス情報。
【０１１３】
オプションとして、前記ＬＡＮサービス関連情報に基づいて、ＬＡＮサービスの第１の関連操作を実行する前記ステップは、
予め設定された条件を満たす場合、ＬＡＮサービスの第１の関連操作を実行するステップを含み、前記予め設定された条件は、端末がＬＡＮサービスのサービス範囲内であると決定したことを含むことができる。
【０１１４】
本開示の実施例では、第３の通信機器は、端末に関連するＬＡＮサービス関連情報を取得して、端末に関連するＬＡＮサービス関連情報に基づいて、端末に関連するＬＡＮサービスの関連操作を実行することができる。
【０１１５】
図９は、本開示の一実施例のＬＡＮサービスの制御方法であり、該制御方法は端末に適用され、図９を参照すると、該制御方法は、ステップ９１とステップ９２を含む。
ステップ９１：ＬＡＮサービスの関連設定情報、ＬＡＮサービス中継の関連設定情報、及びＬＡＮに関連するルート選択ポリシー情報の少なくとも１つを含む第１の情報を取得する。
ステップ９２：前記第１の情報に基づいて、ＬＡＮサービスの第２の関連操作を実行する。
【０１１６】
本開示の実施例では、前記端末は、中継機能をサポートする端末、中継機能をサポートしない端末の少なくとも１つを含むことができる。
【０１１７】
本開示の実施例では、端末は、通信機器から前記情報を取得し、前記通信機器は、ＬＡＮアプリケーションサーバー、ＬＡＮ制御機能、ＵＤＭ、ＡＭＦ、ＳＭＦ、及びＰＣＦの少なくとも１つを含むことができる。
【０１１８】
オプションとして、第１の情報を取得する前記ステップの前に、端末のＬＡＮサービスの能力情報、前記端末の位置情報、及びＬＡＮサービス要求情報の少なくとも１つを含むＬＡＮサービス関連情報を送信するステップをさらに含む。
【０１１９】
オプションとして、前記端末のＬＡＮサービスの能力情報は、ＬＡＮサービスをサポートするか否か、及びＬＡＮサービスの中継とすることをサポートするか否かの少なくとも１つを含む。
【０１２０】
オプションとして、前記ＬＡＮサービス要求情報は、ＬＡＮサービス中継としての要求、及びＬＡＮサービスへのアクセス要求の少なくとも１つを含む。
【０１２１】
オプションとして、前記ＬＡＮサービスの関連設定情報は、以下の少なくとも１つを含む。
−ＬＡＮサービスを許可するか否かの情報、
−ＬＡＮサービスのサービス範囲情報、
−加入が許可されたＬＡＮのＬＡＮ関連情報、
−加入が許可されないＬＡＮのＬＡＮ関連情報、
−ＬＡＮサービスをサポートするＤＮＮ情報、
−ＬＡＮサービスをサポートするスライス情報。
【０１２２】
さらに、前記ＬＡＮサービスのサービス範囲情報は、以下の少なくとも１つを含むことができる。
−ＬＡＮサービスをサポートするネットワークのネットワーク識別子情報、
−ＬＡＮサービスをサポートするネットワークのネットワークタイプ情報、
−ＬＡＮサービスをサポートするロケーションエリア情報、
−ＬＡＮサービスをサポートする基地局情報、
−ＬＡＮサービスをサポートするセル情報。
【０１２３】
さらに、前記ネットワークタイプ情報は、ＴｙｐｅＡ、ＴｙｐｅＢ、仮想プライベート通信ネットワーク、及びパブリック通信ネットワークの少なくとも１つを含むことができ、及び／又は
さらに、前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含むことができる。
【０１２４】
さらに、前記ＬＡＮ関連情報は、以下の少なくとも１つを含む。
−ＬＡＮの識別子情報、
−マルチキャストを許可するか否か、
−ＬＡＮにおけるマルチキャストの通信アドレス情報、
−ＬＡＮにおける前記端末の通信アドレス情報、
−ＬＡＮのサービス範囲情報、
−ＬＡＮにおける通信機器情報、
−ＬＡＮをサポートするＤＮＮ情報、
−ＬＡＮをサポートするスライス情報。
【０１２５】
さらに、前記ＬＡＮの識別子情報は、以下の少なくとも１つを含む。
−アプリケーション層のＬＡＮ識別子、
−通信ネットワーク内のＬＡＮ識別子、
−伝送層のＬＡＮ識別子。
【０１２６】
一実施形態では、前記通信ネットワークは３ＧＰＰネットワークを含む。
【０１２７】
一実施形態では、前記伝送層のＬＡＮ識別子はＶＬＡＮの識別子情報を含む。
【０１２８】
一実施形態では、アプリケーション層ＬＡＮ識別子は、アプリケーション層のサーバにより割り当てられ得る。通信ネットワーク内のＬＡＮ識別子は、アプリケーション層のＬＡＮ識別子と１対１でマッピングする。
【０１２９】
一実施形態では、アプリケーション層のＬＡＮ識別子は、一組の端末が有線接続端末と無線接続端末を含むことを示す。通信ネットワーク内のＬＡＮ識別子は、通信ネットワーク内の、このＬＡＮに属する端末に対応し得る。通信ネットワーク内のＬＡＮの識別子によりアプリケーション層のＬＡＮ識別子をマッピングし、アプリケーション層のＬＡＮ識別子により通信ネットワークのＬＡＮ識別子をマッピングすることができる。アプリケーション層ＬＡＮ識別子に対応するＬＡＮに含まれる端末は、通信ネットワークにおけるＬＡＮ識別子に対応するＬＡＮの端末以上であってもよい。１つのアプリケーション層ＬＡＮは複数の通信ネットワークでのユーザ又は非通信ネットワークのユーザを含みうることを容易に理解できる。２層のＬＡＮ識別子により、通信ネットワークとアプリケーション層によるＬＡＮのメンテナンスをサポートして疎結合することが可能となる。
【０１３０】
別の実施形態では、アプリケーション層のＬＡＮ識別子はＶＬＡＮに１対１でマッピングする。データパケットにＶＬＡＮの識別子を含めることによって、ＶＬＡＮにおけるルーティングを実現できる。
【０１３１】
さらに、前記ＬＡＮのサービス範囲情報は、以下の少なくとも１つを含む。
−ＬＡＮをサポートするネットワークのネットワーク識別子、
−ＬＡＮをサポートするネットワークのネットワークタイプ情報、
−ＬＡＮをサポートするロケーションエリア情報、
−ＬＡＮをサポートする基地局情報、
−ＬＡＮをサポートするセル情報。
【０１３２】
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含むことができ、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含むことができる。
【０１３３】
さらに、前記通信アドレス情報は、ポート、メディアアクセス制御（ＭＡＣ）アドレス、ＩＰアドレス、及び仮想プライベート通信ネットワーク（ＶＬＡＮ）識別子の少なくとも１つを含むことができ、一実施形態では、前記ＩＰアドレスは、ＬＡＮに対応するＩＰサブネット内のＩＰアドレスである。ＬＡＮにおける前記端末の通信アドレス情報に含まれ得る項目は通信アドレス情報と同じであってもよい。前記マルチキャストの通信アドレス情報に含まれ得る項目は通信アドレス情報と同じであってもよい。たとえばＬＡＮマルチキャストのＩＰアドレスはマルチキャストＩＰアドレスであり、ＬＡＮマルチキャストのＭＡＣアドレスはマルチキャストＭＡＣアドレスである。
【０１３４】
さらに、前記ＬＡＮにおける通信機器情報は、ＬＡＮにおける通信機器の通信アドレス情報を含むことができる。一実施形態では、ＬＡＮ内の通信機器はＬＡＮのメンバーである。ＬＡＮのメンバーは、すでにＬＡＮにアクセスして通信しているＬＡＮメンバー、ＬＡＮにアクセスして通信していないＬＡＮメンバーの少なくとも１つを含むことができる。
【０１３５】
さらに、ＬＡＮにおける前記端末の通信アドレス情報はＩＰアドレスであってもよく、非ＩＰアドレス、たとえばＭＡＣアドレスであってもよい。
【０１３６】
さらに、前記ＬＡＮサービス中継の関連設定情報は、以下の少なくとも１つを含むことができる。
−ＬＡＮサービス中継とすることを許可するか否かの情報、
−ＬＡＮサービス中継のサービス範囲情報、
−中継を許可するＬＡＮのＬＡＮ中継関連情報、
−中継を許可しないＬＡＮのＬＡＮ中継関連情報、
−中継を許可するＬＡＮのＬＡＮ関連情報、
−中継を許可しないＬＡＮのＬＡＮ関連情報。
【０１３７】
さらに、前記ＬＡＮサービス中継のサービス範囲情報は、ネットワーク識別子情報、ネットワークタイプ情報、ロケーションエリア情報、基地局情報、ＬＡＮサービスをサポートするセル情報の少なくとも１つを含むことができ、
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含むことができ、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含むことができる。
【０１３８】
さらに、前記中継を許可するＬＡＮのＬＡＮ関連情報に含まれ得る項目は、図９の実施例に係るＬＡＮ関連情報と同じであるので、ここで詳しく説明せず、
さらに、前記ＬＡＮ中継関連情報は、以下の少なくとも１つを含むことができる。
−ＬＡＮの識別子情報、
−マルチキャストを許可するか否か、
−ＬＡＮにおけるマルチキャストの通信アドレス情報、
−ＬＡＮにおける前記端末の通信アドレス情報、
−ＬＡＮのサービス範囲情報、
−ＬＡＮにおける通信機器情報、
−ＬＡＮにおける中継としての前記端末の通信アドレス、
−ＬＡＮ中継のサービス範囲情報、
−ＬＡＮ中継によるアクセスが許可された通信機器情報。
【０１３９】
さらに、前記ＬＡＮに関連するルート選択ポリシー情報は、以下の少なくとも１つを含むことができる。
−アプリケーションによるＬＡＮサービスへのアクセスが許可されるか否か（関連するか否かとも呼ばれる）、
−アプリケーションによるアクセスが許可されたＬＡＮのＬＡＮ関連情報、
−アプリケーションによるアクセスが許可されないＬＡＮのＬＡＮ関連情報、
−アプリケーションに関連付けられたＬＡＮのＤＮＮ情報、
−アプリケーションに関連付けられたＬＡＮのスライス情報。
【０１４０】
オプションとして、前記ＬＡＮサービスの第２の関連操作は、以下の少なくとも１つを含むことができる。
−ＬＡＮへの加入、
−ＬＡＮからの離脱、
−ＬＡＮにおける１対１通信、
−ＬＡＮにおける１対多通信、
−ＬＡＮにおける通信機器への中継サービス提供。
【０１４１】
さらに、前記のＬＡＮにおける通信機器への中継サービス提供は、以下の少なくとも１つを含むことができる。
−ＬＡＮに対応するＶＬＡＮの情報を中継された通信機器のデータパケットに追加すること、
−中継された通信機器について、ＬＡＮ加入要求を送信すること、
−中継された通信機器について、ＬＡＮからの離脱の要求を送信すること。
【０１４２】
本開示の実施例では、端末は、ネットワーク側のＬＡＮサービスの関連情報を取得し、ネットワーク側のＬＡＮサービスの関連情報に基づいて、対応するＬＡＮサービスを実行することができる。
【０１４３】
図１０は本開示の一実施例のＬＡＮサービスの制御方法であり、図１０を参照すると、該制御方法は、端末に適用され、該制御方法はステップ１０１を含む。
ステップ１０１：ターゲットＬＡＮへの加入要求情報、及びターゲットＬＡＮ中継とする要求情報の少なくとも１つを含む第１の要求情報を送信する。
【０１４４】
一実施形態では、前記ターゲットＬＡＮへの加入要求情報は、ターゲットＬＡＮに加入して、ターゲットＬＡＮメンバーとなる旨の要求情報であってもよい。
【０１４５】
一実施形態では、第１の要求情報は、ターゲットＬＡＮへの加入を要求するために使用できる。
【０１４６】
別の実施形態では、第１の要求情報は、ターゲットＬＡＮの中継とすることを要求するために使用できる。
【０１４７】
本開示の実施例では、端末は、ネットワーク側機器に前記第１の要求情報を送信することができる。
【０１４８】
本開示の実施例では、端末は第１の要求情報を送信することで、ターゲットＬＡＮへ加入するか、又はターゲットＬＡＮの中継とすることを要求し、それにより、ＬＡＮサービスを実現する。
【０１４９】
図１１は本開示の一実施例のＬＡＮサービスの制御方法であり、該制御方法は、ネットワーク側機器に適用され、図１１を参照すると、該制御方法はステップ１１１とステップ１１２を含む。
ステップ１１１：予め設定された条件を満たすか否かを判断する。
ステップ１１２：予め設定された条件を満たす場合、ＬＡＮサービスの第３の関連操作を実行する。
【０１５０】
オプションとして、本開示の実施例に係るネットワーク側機器は、ＬＡＮ制御機能、ＡＭＦの少なくとも１つであってもよい。
【０１５１】
オプションとして、前記予め設定された条件は、第１の要求情報を取得すること、及びターゲットＬＡＮのＬＡＮ関連情報を生成又は更新することの少なくとも１つを含み、
オプションとして、ターゲットＬＡＮのＬＡＮ関連情報を生成又は更新することに含まれ得る項目は、図９の実施例に係るＬＡＮ関連情報と同じであるので、ここで詳しく説明しない。
【０１５２】
オプションとして、前記第１の要求情報は、ターゲットＬＡＮへの端末加入要求情報、及びターゲットＬＡＮ中継とする要求情報の少なくとも１つを含む。
【０１５３】
一実施形態では、ターゲットＬＡＮは、１つ又は複数の具体的なＬＡＮであってもよい。
【０１５４】
オプションとして、前記ＬＡＮサービスの第３の関連操作は、以下の少なくとも１つを含む。
−ターゲットＬＡＮへの前記端末加入が許可されるか否かを検証すること、
−前記ターゲットＬＡＮへの前記端末加入を許可するか否かの情報を送信すること、
−前記端末がターゲットＬＡＮ中継とすることが許可されるか否かを検証すること、
−及び、前記端末が前記ターゲットＬＡＮ中継とすることを許可するか否かの情報を送信すること。
【０１５５】
さらに、端末及び／又はＵＤＭに、前記ターゲットＬＡＮへの前記端末加入を許可するか否かの情報を送信することができる。
【０１５６】
さらに、前記ターゲットＬＡＮへの前記端末加入が許可されるか否かの前記情報は、前記端末による前記ターゲットＬＡＮ関連データチャンネルの確立、又は前記端末に対する前記ターゲットＬＡＮ関連データチャンネルの確立が許可されるか否かの情報であってもよい。続いて、ＳＭＦは、端末の第１のＬＡＮに関連するデータチャンネルの確立を許可するか否かを判断するときに、ＵＤＭからこの情報を参照できる。
【０１５７】
さらに、ターゲットＬＡＮへの前記端末加入が許可された場合、前記ＬＡＮサービスの第３の関連操作は、以下の少なくとも１つを含むことができる。
−前記端末にターゲットＬＡＮのＬＡＮ関連情報を設定すること、
−ターゲットＬＡＮのＬＡＮ関連情報を送信すること、
−及び、前記端末加入が許可されたターゲットＬＡＮのＬＡＮ関連情報を送信すること。
【０１５８】
第１のターゲット側は端末であってもよい。前記第２のターゲット側は端末及び／又はＵＤＭであってもよい。
【０１５９】
さらに、ターゲットＬＡＮへの前記端末加入が許可された場合、前記ＬＡＮサービスの第３の関連操作は、前記端末を前記ターゲットＬＡＮに加入こと、及びＵＤＭ及び／又はターゲットＬＡＮにおけるＬＡＮ機器に、前記ターゲットＬＡＮにおけるＬＡＮ機器の更新済みの情報を送信することの少なくとも１つをさらに含むことができる。
【０１６０】
オプションとして、ターゲットＬＡＮのＬＡＮ関連情報は、ターゲットＬＡＮにおけるメンバーの情報、及びターゲットＬＡＮにおける通信アドレスの少なくとも１つを含むことができる。
【０１６１】
さらに、前記ターゲットＬＡＮへの前記端末加入が許可されない場合、前記ＬＡＮサービスの第３の関連操作は、前記端末加入が許可されないターゲットＬＡＮのＬＡＮ関連情報を第２のターゲット側に送信することを含むことができる。
【０１６２】
オプションとして、前記端末が前記ターゲットＬＡＮ中継とすることが許可された場合、前記ＬＡＮサービスの第３の関連操作は、以下の少なくとも１つを含むことができる。
−前記端末にターゲットＬＡＮ中継関連情報を設定すること、
−前記端末にターゲットＬＡＮのＬＡＮ関連情報を設定すること、
−ターゲットＬＡＮ中継関連情報を送信すること、
−前記端末加入が許可されたターゲットＬＡＮのＬＡＮ関連情報を送信すること。
【０１６３】
前記端末がターゲットＬＡＮ中継とすることが許可されない場合、前記ＬＡＮサービスの第３の関連操作は、
前記端末がターゲットＬＡＮ中継とすることが許可されない旨のＬＡＮ関連情報を送信することを含む。本開示の実施例では、ネットワーク側は、端末の要求、又はターゲットＬＡＮのＬＡＮ関連情報を生成又は更新することに応じて、ターゲットＬＡＮに関する関連操作を実行することができる。
【０１６４】
図１２は、本開示の一実施例のＬＡＮサービスの制御方法であり、該制御方法は端末に適用され、図１２を参照すると、該制御方法はステップ１２１とステップ１２２を含む。
ステップ１２１：ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得する。
【０１６５】
一実施形態では、ターゲットＬＡＮは、１つ又は複数の具体的なＬＡＮであってもよい。
【０１６６】
ステップ１２２：前記第２の情報に基づいて、ＬＡＮサービスの第４の関連操作を実行する。
【０１６７】
本開示の実施例では、前記端末は、ネットワーク側機器から第２の情報を取得する。
【０１６８】
オプションとして、第２の情報を取得する前記ステップの前、ターゲットＬＡＮへの加入要求情報、及びターゲットＬＡＮ中継とする要求情報の少なくとも１つを含む第１の要求情報を送信するステップをさらに含む。
【０１６９】
オプションとして、前記ターゲットＬＡＮのＬＡＮ関連情報は、以下の少なくとも１つを含む。
−ターゲットＬＡＮの識別子情報、
−マルチキャストを許可するか否か、
−ターゲットＬＡＮにおけるマルチキャストの通信アドレス情報、
−ＬＡＮにおける前記端末の通信アドレス情報、
−ターゲットＬＡＮのサービス範囲情報、
−ターゲットＬＡＮにおける通信機器情報、
−ＬＡＮをサポートするＤＮＮ情報、
−ＬＡＮをサポートするスライス情報。
【０１７０】
さらに、前記通信アドレス情報は、ポート、ＭＡＣアドレス、ＩＰアドレス、及び仮想プライベート通信ネットワーク（ＶＬＡＮ）識別子の少なくとも１つを含むことができる。
【０１７１】
さらに、前記ターゲットＬＡＮにおける通信機器情報は、ターゲットＬＡＮにおける機器の通信アドレス情報を含むことができる。一実施形態では、ターゲットＬＡＮ内の通信機器はターゲットＬＡＮのメンバーである。ターゲットＬＡＮのメンバーは、すでにターゲットＬＡＮにアクセスして通信しているターゲットＬＡＮメンバー、ターゲットＬＡＮにアクセスして通信していないターゲットＬＡＮメンバーの少なくとも１つを含むことができる。
【０１７２】
オプションとして、前記ターゲットＬＡＮのＬＡＮ中継関連情報は、以下の少なくとも１つを含む。
−ターゲットＬＡＮの識別子情報、
−マルチキャストを許可するか否か、
−ターゲットＬＡＮにおけるマルチキャストの通信アドレス情報、
−ターゲットＬＡＮにおける前記端末の通信アドレス情報、
−ターゲットＬＡＮのサービス範囲情報、
−ターゲットＬＡＮにおける通信機器情報、
−ＬＡＮ中継としての前記端末の通信アドレス、
−ＬＡＮ中継のサービス範囲情報、
−ＬＡＮ中継によるアクセスが許可された通信機器情報。
【０１７３】
さらに、ターゲットＬＡＮサービス中継のサービス範囲情報は、ネットワーク識別子情報、ネットワークタイプ情報、ロケーションエリア情報、基地局情報、ＬＡＮサービスをサポートするセル情報の少なくとも１つを含むことができる。
【０１７４】
オプションとして、前記ＬＡＮサービスの第４の関連操作は、以下の少なくとも１つを含む。
−ターゲットＬＡＮへの加入、
−ターゲットＬＡＮからの離脱、
−ターゲットＬＡＮにおける１対１通信、
−ターゲットＬＡＮにおける１対多通信、
−ターゲットＬＡＮにおける通信機器への中継サービス提供。
【０１７５】
さらに、前記のターゲットＬＡＮにおける通信機器への中継サービス提供は、以下の少なくとも１つを含むことができる。
−中継された通信機器のデータパケットに、ターゲットＬＡＮに対応するＶＬＡＮの情報を追加すること、
−中継された通信機器について、ターゲットＬＡＮへの加入要求を送信すること、
−中継された通信機器について、ターゲットＬＡＮからの離脱要求を送信すること。
【０１７６】
本開示の実施例では、端末は、ターゲットＬＡＮのＬＡＮ関連情報を取得し、対応するＬＡＮサービス操作を実行することができる。
【０１７７】
以下、手順の実施例にて実現シナリオと組み合わせて方法の実施例を例示的に説明する。
【０１７８】
実施例１
図１３を参照すると、本実施例は、主に、端末の登録過程においてＬＡＮサービス設定を取得する過程を説明する。前記過程において、端末は、ＬＡＮサービスの関連設定情報、ＬＡＮサービス中継の関連設定情報、及びＬＡＮに関連するルート選択ポリシー情報の少なくとも１つを含む第１の情報を取得する。本実施例では、ＡＭＦを第１のＣＮネットワーク要素、ＵＤＭを第２のＣＮネットワーク要素、ＰＣＦを第３のＣＮネットワーク要素の例としているが、これらに制限されない。
【０１７９】
ステップ１３１：ＲＡＮネットワーク要素はネットワークのＬＡＮサービス能力情報（たとえば図７の実施例に係るネットワークのＬＡＮサービス能力情報）をブロードキャストする。
【０１８０】
ステップ１３２：端末はＡＭＦに登録要求を送信する。オプションとして、前記登録要求には、ＬＡＮサービス関連情報（たとえば図６の実施例に係るＬＡＮサービス関連情報）が含まれる。ＬＡＮサービス関連情報は、たとえば、端末のＬＡＮサービスの能力情報を含むことができる。
【０１８１】
オプションとして、ＡＭＦは、端末がアクセスするＲＡＮネットワーク要素からＬＡＮサービス関連情報中の端末の位置情報を取得することができる。
【０１８２】
ステップ１３３：ＡＭＦはＵＤＭに登録する。
【０１８３】
ステップ１３４：ＵＤＭはＡＭＦに前記端末の契約情報を送信する。オプションとして、端末の契約情報は、ＬＡＮサービス関連情報（たとえば図６の実施例に係るＬＡＮサービス関連情報）を含むことができる。この場合、ＬＡＮサービス関連情報は、たとえばＬＡＮサービス契約情報を含むことができる。
【０１８４】
前記ＬＡＮサービス関連情報に基づいて、ＡＭＦがＬＡＮサービスの第１の関連操作を実行するステップは、図８の実施例と同様であるので、ここで詳しく説明しない。
【０１８５】
ステップ１３５：ＡＭＦとＰＣＦとの間にポリシー相関関係を確立する。
【０１８６】
一実施形態では、ＡＭＦはＬＡＮサービス関連情報をＰＣＦに送信する。
【０１８７】
前記ＬＡＮサービス関連情報に基づいて、ＰＣＦがＬＡＮサービスの第１の関連操作を実行するステップは、図８の実施例と同様であるので、ここで詳しく説明しない。
【０１８８】
一実施形態では、ＰＣＦはＡＭＦにＵＲＳＰを送信する。オプションとして、前記ＵＲＳＰには、ＬＡＮに関連するルート選択ポリシー情報が含まれる。
【０１８９】
ステップ１３６：ＡＭＦネットワーク要素は端末へ登録受付情報を返信する。オプションとして、前記登録受付メッセージは、ＬＡＮサービスの関連設定情報、ＬＡＮサービス中継の関連設定情報、及びＬＡＮに関連するルート選択ポリシー情報の少なくとも１つを含むことができる。
【０１９０】
ステップ１３７：端末はＡＭＦに登録完了情報を返送する。
【０１９１】
本開示の実施例によれば、ＡＭＦは、端末についてＬＡＮサービスを検証する。ＡＭＦ及びＰＣＦは、端末についてＬＡＮサービスを設定することができる。
【０１９２】
実施例２
図１４を参照すると、本実施例は、主に、ＬＡＮ制御機能への端末のアクセス又はＬＡＮサービス設定の過程を説明する。前記過程において、端末は、ＬＡＮサービスの関連設定情報、ＬＡＮサービス中継の関連設定情報、及びＬＡＮに関連するルート選択ポリシー情報の少なくとも１つを含む第１の情報を取得する。
【０１９３】
ステップ１４１：端末はＬＡＮ制御機能にＬＡＮサービス要求を送信する。
【０１９４】
オプションとして、前記登録要求には、ＬＡＮサービス関連情報（たとえば図６の実施例に係るＬＡＮサービス関連情報）が含まれる。ＬＡＮサービス関連情報は、たとえば、端末のＬＡＮサービスの能力情報、前記端末の位置情報、ＬＡＮサービス契約情報、及びＬＡＮサービス要求情報の少なくとも１つを含むことができる。
【０１９５】
ステップ１４２：ＬＡＮ制御機能はＵＤＭから前記端末の契約情報を取得し、オプションとして、端末の契約情報は、ＬＡＮサービス関連情報（たとえば図６の実施例に係るＬＡＮサービス関連情報）を含むことができる。この場合、ＬＡＮサービス関連情報は、たとえば、ＬＡＮサービス契約情報を含むことができる。
【０１９６】
前記ＬＡＮサービス関連情報に基づいて、ＡＭＦがＬＡＮサービスの第１の関連操作を実行するステップは、図８の実施例と同じであるので、ここで詳しく説明しない。
【０１９７】
ステップ１４３：端末は、ＬＡＮ制御機能によって送信されたＬＡＮサービス要求応答を受信する。前記応答は、ＬＡＮサービスの関連設定情報、ＬＡＮサービス中継の関連設定情報、及びＬＡＮに関連するルート選択ポリシー情報の少なくとも１つを含むことができる。
【０１９８】
本開示の実施例によれば、ＬＡＮ制御機能は、端末についてＬＡＮサービスを検証して設定する。
【０１９９】
実施例３
図１５を参照すると、本実施例は、主に、端末がターゲットＬＡＮのＬＡＮ関連情報の取得を要求する過程を説明する。
【０２００】
ステップ１５１ａ：端末１は、ＬＡＮ制御機能に第１の要求情報を送信する。
【０２０１】
第１の要求情報は、具体的には、図１０に示す実施例に係る第１の要求情報の通りである。前記第１の要求情報は、ターゲットＬＡＮへの加入要求情報、及びターゲットＬＡＮ中継とする要求情報の少なくとも１つを含む。
【０２０２】
ステップ１５１ｂ：ＬＡＮ制御機能は、ターゲットＬＡＮのＬＡＮ関連情報を生成又は更新する。
【０２０３】
ステップ１５２：ＬＡＮ制御機能は、端末に前記ターゲットＬＡＮのＬＡＮ関連情報を送信する。ターゲットＬＡＮのＬＡＮ関連情報は、図１１に示す実施例に係るターゲットＬＡＮのＬＡＮ関連情報の通りである。ターゲットＬＡＮのＬＡＮ関連情報は、ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含むことができる。
【０２０４】
ステップ１５３：端末１がターゲットＬＡＮに加入したと決定すると、ＬＡＮ制御機能は、端末１がターゲットＬＡＮに加入した情報をＵＤＭに送信する。
【０２０５】
ステップ１５４：端末１がターゲットＬＡＮに加入したと決定すると、ＬＡＮ制御機能は、端末１がターゲットＬＡＮに加入した情報を端末２に送信する。端末２はターゲットＬＡＮにおける機器である。
【０２０６】
本開示の実施例によれば、ＬＡＮ制御機能は、端末についてアクセスするターゲットＬＡＮサービスを検証して設定する。
【０２０７】
図１６を参照すると、図１６は、本開示の一実施例の第１の通信機器の構造模式図であり、該第１の通信機器１６０は、端末のＬＡＮサービスの能力情報、前記端末の位置情報、ＬＡＮサービス契約情報、及びＬＡＮサービス要求情報の少なくとも１つを含むＬＡＮサービス関連情報を送信するための送信モジュール１６１を含む。オプションとして、前記ＬＡＮサービス要求情報は、ＬＡＮサービス中継としての要求、及びＬＡＮサービスへのアクセス要求の少なくとも１つを含む。
【０２０８】
オプションとして、前記端末のＬＡＮサービスの能力情報は、ＬＡＮサービスをサポートするか否か、及びＬＡＮサービスの中継とすることをサポートするか否かの少なくとも１つを含む。
【０２０９】
さらに、前記ＬＡＮサービス関連情報は、前記ＬＡＮサービス要求情報を含み、前記ＬＡＮサービス関連情報を送信するステップは、
予め設定された条件を満たす場合、前記ＬＡＮサービス要求情報を送信するステップを含み、
前記予め設定された条件は、ネットワークのＬＡＮサービス能力情報を取得したことを含む。
【０２１０】
本開示の実施例に係る第１の通信機器は、上記方法の実施例に係る第１の通信機器に対応し、したがって、本実施例に係る第１の通信機器の一部の特徴は、第１の通信機器に対応する方法の実施例に対応する特徴と同じであるので、重複説明を省略する。
【０２１１】
図１７は、本開示の一実施例の第２の通信機器の構造模式図であり、図１７を参照すると、該第２の通信機器１７０は、ネットワークのＬＡＮサービス能力情報を送信するための送信モジュール１７１を含む。
【０２１２】
オプションとして、前記ネットワークのＬＡＮサービス能力情報は、ＬＡＮサービスをサポートするか否かの指示情報、サポートするＬＡＮのＬＡＮ関連情報、及びサポートしないＬＡＮのＬＡＮ関連情報の少なくとも１つを含む。
【０２１３】
本開示の実施例に係る第２の通信機器は、上記方法の実施例に係る第２の通信機器に対応し、したがって、本実施例に係る第２の通信機器の一部の特徴は、第２の通信機器に対応する方法の実施例の対応する特徴と同じであるので、重複説明を省略する。
【０２１４】
図１８は、本開示の一実施例の第３の通信機器の構造模式図であり、図１８を参照すると、該第３の通信機器１８０は、
前記端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得するための取得モジュール１８１と、
前記ＬＡＮサービス関連情報に基づいて、ＬＡＮサービスの第１の関連操作を実行するための実行モジュール１８２とを含む。
【０２１５】
オプションとして、前記ＬＡＮサービスの第１の関連操作は、以下の少なくとも１つを含む。
−前記端末にＬＡＮサービスの関連設定情報を設定すること、
−前記端末にＬＡＮサービス中継の関連設定情報を設定すること、
−前記端末にＬＡＮに関連するルート選択ポリシー情報を設定すること、
−ＬＡＮサービスの関連設定情報を送信すること、
−ＬＡＮサービス中継の関連設定情報を送信すること、
−ＬＡＮに関連するルート選択ポリシー情報を送信すること、
−前記端末加入が許可されたＬＡＮのＬＡＮ関連情報を送信すること、
−第２のターゲット側に前記端末加入が許可されないＬＡＮのＬＡＮ関連情報を送信すること。
【０２１６】
さらに、前記ＬＡＮサービスの関連設定情報は、以下の少なくとも１つを含むことができる。
−ＬＡＮサービスを許可するか否かの情報、
−ＬＡＮサービスのサービス範囲情報、
−加入が許可されたＬＡＮのＬＡＮ関連情報、
−加入が許可されないＬＡＮのＬＡＮ関連情報、
−ＬＡＮサービスをサポートするＤＮＮ情報、
−ＬＡＮサービスをサポートするスライス情報。
【０２１７】
さらに、前記ＬＡＮサービス中継の関連設定情報は、以下の少なくとも１つを含むことができる。
−ＬＡＮサービス中継とすることを許可するか否かの情報、
−ＬＡＮサービス中継のサービス範囲情報、
−中継を許可するＬＡＮのＬＡＮ中継関連情報、
−中継を許可しないＬＡＮのＬＡＮ中継関連情報、
−中継を許可するＬＡＮのＬＡＮ関連情報、
−中継を許可しないＬＡＮのＬＡＮ関連情報。
【０２１８】
さらに、前記ＬＡＮに関連するルート選択ポリシー情報は、以下の少なくとも１つを含むことができる。
−アプリケーションによるＬＡＮサービスへのアクセスが許可されるか否か、
−アプリケーションによるアクセスが許可されたＬＡＮのＬＡＮ関連情報、
−アプリケーションによるアクセスが許可されないＬＡＮのＬＡＮ関連情報、
−アプリケーションに関連付けられたＬＡＮのデータネットワーク名ＤＮＮ情報、
−アプリケーションに関連付けられたＬＡＮのスライス情報。
【０２１９】
本開示の実施例に係る第３の通信機器は、上記方法の実施例に係る第３の通信機器に対応し、したがって、本実施例に係る第３の通信機器の一部の特徴は、第３の通信機器に対応する方法の実施例の対応する特徴と同じであるので、重複説明を省略する。
【０２２０】
図１９は、本開示の一実施例の端末の構造模式図であり、図１９を参照すると、該端末１９０は、
ＬＡＮサービスの関連設定情報、ＬＡＮサービス中継の関連設定情報、及びＬＡＮに関連するルート選択ポリシー情報の少なくとも１つを含む第１の情報を取得するための取得モジュール１９１と、
前記第１の情報に基づいて、ＬＡＮサービスの第２の関連操作を実行するための実行モジュール１９２とを含む。
【０２２１】
オプションとして、前記端末１９０は、
端末のＬＡＮサービスの能力情報、前記端末の位置情報、及びＬＡＮサービス要求情報の少なくとも１つを含むＬＡＮサービス関連情報を送信するための送信モジュールをさらに含む。
【０２２２】
オプションとして、前記ＬＡＮサービスの関連設定情報は、以下の少なくとも１つを含む。
−ＬＡＮサービスを許可するか否かの情報、
−ＬＡＮサービスのサービス範囲情報、
−加入が許可されたＬＡＮのＬＡＮ関連情報、
−加入が許可されないＬＡＮのＬＡＮ関連情報、
−ＬＡＮサービスをサポートするＤＮＮ情報、
−ＬＡＮサービスをサポートするスライス情報。
【０２２３】
さらに、前記ＬＡＮサービスのサービス範囲情報は、以下の少なくとも１つを含むことができる。
−ＬＡＮサービスをサポートするネットワークのネットワーク識別子情報、
−ＬＡＮサービスをサポートするネットワークのネットワークタイプ情報、
−ＬＡＮサービスをサポートするロケーションエリア情報、
−ＬＡＮサービスをサポートする基地局情報、
−ＬＡＮサービスをサポートするセル情報。
【０２２４】
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む。
【０２２５】
さらに、前記ＬＡＮ関連情報は、以下の少なくとも１つを含むことができる。
−ＬＡＮの識別子情報、
−マルチキャストを許可するか否か、
−ＬＡＮにおけるマルチキャストの通信アドレス情報、
−ＬＡＮにおける前記端末の通信アドレス情報、
−ＬＡＮのサービス範囲情報、
−ＬＡＮにおける通信機器情報、
−ＬＡＮをサポートするＤＮＮ情報、
−ＬＡＮをサポートするスライス情報。
【０２２６】
さらに、前記ＬＡＮの識別子情報は、以下の少なくとも１つを含むことができる。
−アプリケーション層のＬＡＮ識別子、
−通信ネットワーク内のＬＡＮ識別子、
−伝送層のＬＡＮ識別子。
【０２２７】
さらに、前記ＬＡＮのサービス範囲情報は、以下の少なくとも１つを含む。
−ＬＡＮをサポートするネットワークのネットワーク識別子、
−ＬＡＮをサポートするネットワークのネットワークタイプ情報、
−ＬＡＮをサポートするロケーションエリア情報、
−ＬＡＮをサポートする基地局情報、
−ＬＡＮをサポートするセル情報。
【０２２８】
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含むことができ、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含むことができる。
【０２２９】
さらに、前記通信アドレス情報は、ポート、メディアアクセス制御ＭＡＣアドレス、ＩＰアドレス、及びＶＬＡＮの情報の少なくとも１つを含むことができる。一実施形態では、前記ＩＰアドレスは、ＬＡＮに対応するＩＰサブネット内のＩＰアドレスである。ＬＡＮにおける前記端末の通信アドレス情報に含まれ得る項目は通信アドレス情報と同じであってもよい。前記マルチキャストの通信アドレス情報に含まれ得る項目は通信アドレス情報と同じであってもよい。たとえばＬＡＮマルチキャストのＩＰアドレスはマルチキャストＩＰアドレスであり、ＬＡＮマルチキャストのＭＡＣアドレスはマルチキャストＭＡＣアドレスである。
【０２３０】
さらに、前記ＬＡＮにおける通信機器情報は、ＬＡＮにおける通信機器の通信アドレス情報を含むことができる。
【０２３１】
オプションとして、前記ＬＡＮサービス中継の関連設定情報は、以下の少なくとも１つを含む。
−ＬＡＮサービス中継とすることを許可するか否かの情報、
−ＬＡＮサービス中継のサービス範囲情報、
−中継を許可するＬＡＮのＬＡＮ中継関連情報、
−中継を許可しないＬＡＮのＬＡＮ中継関連情報、
−中継を許可するＬＡＮのＬＡＮ関連情報、
−中継を許可しないＬＡＮのＬＡＮ関連情報。
【０２３２】
さらに、前記ＬＡＮサービス中継のサービス範囲情報は、ネットワーク識別子情報、ネットワークタイプ情報、ロケーションエリア情報、基地局情報及びＬＡＮサービスをサポートするセル情報の少なくとも１つを含むことができ、
さらに、前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含むことができ、及び／又は
さらに、前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含むことができる。
【０２３３】
さらに、前記ＬＡＮ中継関連情報は、以下の少なくとも１つを含むことができる。
−ＬＡＮの識別子情報、
−マルチキャストを許可するか否か、
−ＬＡＮにおけるマルチキャストの通信アドレス情報、
−ＬＡＮにおける前記端末の通信アドレス情報、
−ＬＡＮのサービス範囲情報、
−ＬＡＮにおける通信機器情報、
−ＬＡＮにおける中継としての前記端末の通信アドレス情報、
−ＬＡＮ中継のサービス範囲情報、
−ＬＡＮ中継によるアクセスが許可された通信機器情報。
【０２３４】
さらに、前記ＬＡＮにおける通信機器情報は、ＬＡＮにおける通信機器の通信アドレス情報を含むことができる。一実施形態では、ＬＡＮ内の通信機器はＬＡＮのメンバーである。ＬＡＮのメンバーは、すでにＬＡＮにアクセスして通信しているＬＡＮメンバー、ＬＡＮにアクセスして通信していないＬＡＮメンバーの少なくとも１つを含むことができる。
【０２３５】
オプションとして、前記ＬＡＮに関連するルート選択ポリシー情報は、以下の少なくとも１つを含む。
−アプリケーションによるＬＡＮサービスへのアクセスが許可されるか否か、
−アプリケーションによるアクセスが許可されたＬＡＮのＬＡＮ関連情報、
−アプリケーションによるアクセスが許可されないＬＡＮのＬＡＮ関連情報、
−アプリケーションに関連付けられたＬＡＮのＤＮＮ情報、
−アプリケーションに関連付けられたＬＡＮのスライス情報。
【０２３６】
オプションとして、前記ＬＡＮサービスの第２の関連操作は、以下の少なくとも１つを含む。
−ＬＡＮへの加入、
−ＬＡＮからの離脱、
−ＬＡＮにおける１対１通信、
−ＬＡＮにおける１対多通信、
−ＬＡＮにおける通信機器への中継サービス提供。
【０２３７】
さらに、前記のＬＡＮにおける通信機器への中継サービス提供は、以下の少なくとも１つを含むことができる。
−ＬＡＮに対応するＶＬＡＮの情報を中継された通信機器のデータパケットに追加すること、
−中継された通信機器について、ＬＡＮ加入要求を送信すること、
−中継された通信機器について、ＬＡＮからの離脱の要求を送信すること。
【０２３８】
本開示の実施例に係る端末は、上記実施例４に係る端末に対応し、したがって、本実施例に係る端末の一部の特徴は、実施例４の方法の実施例の対応する特徴と同じであるので、重複説明を省略する。
【０２３９】
図２０は、本開示の一実施例の端末の構造模式図であり、図２０を参照すると、該端末２０１は、ターゲットＬＡＮへの加入要求情報、及びターゲットＬＡＮ中継とする要求情報の少なくとも１つを含む第１の要求情報を送信するための送信モジュール２０２を含む。
【０２４０】
本開示の実施例に係る端末は、上記実施例５に係る端末に対応し、したがって、本実施例に係る端末の一部の特徴は、実施例５に係る方法の実施例の対応する特徴と同じであるので、重複説明を省略する。
【０２４１】
図２１は、本開示の一実施例のネットワーク側機器の構造模式図であり、図２１を参照すると、該ネットワーク側機器２１０は、
予め設定された条件を満たすか否かを判断するための判断モジュール２１１と、
予め設定された条件を満たす場合、ＬＡＮサービスの第３の関連操作を実行するための実行モジュール２１２とを含む。
【０２４２】
オプションとして、前記予め設定された条件は、第１の要求情報を取得したこと、及びターゲットＬＡＮのＬＡＮ関連情報を生成又は更新したことの少なくとも１つを含み、
前記第１の要求情報は、ターゲットＬＡＮへの端末加入要求情報、及びターゲットＬＡＮ中継とする要求情報の少なくとも１つを含む。
【０２４３】
オプションとして、前記ＬＡＮサービスの第３の関連操作は、以下の少なくとも１つを含む。
−ターゲットＬＡＮへの前記端末加入が許可されるか否かを検証すること、
−前記ターゲットＬＡＮへの前記端末加入を許可するか否かの情報を送信すること、
−前記端末がターゲットＬＡＮ中継とすることが許可されるか否かを検証すること、
−前記端末が前記ターゲットＬＡＮ中継とすることを許可するか否かの情報を送信すること。
【０２４４】
さらに、ターゲットＬＡＮへの前記端末加入が許可された場合、前記ＬＡＮサービスの第３の関連操作は、以下の少なくとも１つを含むことができる。
−前記端末にターゲットＬＡＮのＬＡＮ関連情報を設定すること、
−ターゲットＬＡＮのＬＡＮ関連情報を送信すること、
−前記端末加入が許可されたターゲットＬＡＮのＬＡＮ関連情報を送信すること。
【０２４５】
前記ターゲットＬＡＮへの前記端末加入が許可されない場合、前記ＬＡＮサービスの第３の関連操作は、前記端末加入が許可されないターゲットＬＡＮのＬＡＮ関連情報を第２のターゲット側に送信することを含むことができる。
【０２４６】
さらに、前記端末が前記ターゲットＬＡＮ中継とすることが許可された場合、前記ＬＡＮサービスの第３の関連操作は、以下の少なくとも１つを含むことができる。
−前記端末にターゲットＬＡＮ中継関連情報を設定すること、
−前記端末にターゲットＬＡＮのＬＡＮ関連情報を設定すること、
−ターゲットＬＡＮ中継関連情報を送信すること、
−前記端末加入が許可されたターゲットＬＡＮのＬＡＮ関連情報を送信すること。
【０２４７】
前記端末がターゲットＬＡＮ中継とすることが許可されない場合、前記ＬＡＮサービスの第３の関連操作は、前記端末がターゲットＬＡＮ中継とすることが許可されない旨のＬＡＮ関連情報を送信することを含む。
【０２４８】
さらに、前記ターゲットＬＡＮへの前記端末加入が許可されるか否かの前記情報は、前記端末による前記ターゲットＬＡＮ関連データチャンネルの確立、又は前記端末に対する前記ターゲットＬＡＮ関連データチャンネルの確立が許可されるか否かの情報であってもよい。
【０２４９】
本開示の実施例に係るネットワーク側機器は、上記実施例６に係るネットワーク側機器に対応し、したがって、本実施例に係るネットワーク側機器の一部の特徴は、実施例６に係る方法の実施例の対応する特徴と同じであるので、重複説明を省略する。
【０２５０】
図２２は、本開示の一実施例の端末の構造模式図であり、図２２を参照すると、該端末２２０は、
ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得するための取得モジュール２２１と、
前記第２の情報に基づいて、ＬＡＮサービスの第４の関連操作を実行するための実行モジュール２２２とを含む。
【０２５１】
オプションとして、前記端末２２０は、
ターゲットＬＡＮへの加入要求情報、及びターゲットＬＡＮ中継とする要求情報の少なくとも１つを含む第１の要求情報を送信するための送信モジュールをさらに含む。
【０２５２】
オプションとして、前記ターゲットＬＡＮのＬＡＮ関連情報は、以下の少なくとも１つを含む。
−ターゲットＬＡＮの識別子情報、
−マルチキャストを許可するか否か、
−ターゲットＬＡＮにおけるマルチキャストの通信アドレス情報、
−ＬＡＮにおける前記端末の通信アドレス情報、
−ターゲットＬＡＮのサービス範囲情報、
−ターゲットＬＡＮにおける通信機器情報、
−ＬＡＮをサポートするＤＮＮ情報、
−ＬＡＮをサポートするスライス情報。
【０２５３】
オプションとして、前記ターゲットＬＡＮのＬＡＮ中継関連情報は、以下の少なくとも１つを含む。
−ターゲットＬＡＮの識別子情報、
−マルチキャストを許可するか否か、
−ターゲットＬＡＮにおけるマルチキャストの通信アドレス情報、
−ターゲットＬＡＮにおける前記端末の通信アドレス情報、
−ターゲットＬＡＮのサービス範囲情報、
−ターゲットＬＡＮにおける通信機器情報、
−ＬＡＮ中継としての前記端末の通信アドレス、
−ＬＡＮ中継のサービス範囲情報、
−ＬＡＮ中継によるアクセスが許可された通信機器情報。
【０２５４】
オプションとして、前記ＬＡＮサービスの第４の関連操作は、以下の少なくとも１つを含む。
−ターゲットＬＡＮへの加入、
−ターゲットＬＡＮからの離脱、
−ターゲットＬＡＮにおける１対１通信、
−ターゲットＬＡＮにおける１対多通信、
−ターゲットＬＡＮにおける通信機器への中継サービス提供。
【０２５５】
さらに、前記のターゲットＬＡＮにおける通信機器への中継サービス提供は、以下の少なくとも１つを含むことができる。
−中継された通信機器のデータパケットに、ターゲットＬＡＮに対応するＶＬＡＮの情報を追加すること、
−中継された通信機器について、ターゲットＬＡＮへの加入要求を送信すること、
−中継された通信機器について、ターゲットＬＡＮからの離脱要求を送信すること。
【０２５６】
本開示の実施例に係る端末は、上記実施例７に係る端末に対応し、したがって、本実施例に係る端末の一部の特徴は、実施例７に係る方法の実施例の対応する特徴と同じであるので、重複説明を省略する。
【０２５７】
図２３は、本開示の一実施例の端末の構造模式図であり、図２３を参照すると、該端末２３０は、ＲＦユニット２３１、ネットワークモジュール２３２、オーディオ出力ユニット２３３、入力ユニット２３４、センサ２３５、表示ユニット２３６、ユーザ入力ユニット２３７、インターフェースユニット２３８、メモリ２３９、プロセッサ２３１０や電源２３１１などの部材を含むが、これらに制限されない。当業者が理解できるように、図２３に示す端末構造は、端末を限定するものではなく、端末は、図示したものよりも多い又は少ない部材を有したり、一部の部材を組み合わせたり、異なる部材を配置したりすることができる。本開示の実施例では、端末は、携帯電話、タブレットパーソナルコンピュータ、ノートコンピュータ、ラップトップコンピュータ、車載端末、ウェアラブルデバイスや歩数計などを含むが、これらに制限されない。
【０２５８】
ＲＦユニット２３１は、端末のＬＡＮサービスの能力情報、前記端末の位置情報、ＬＡＮサービス契約情報、及びＬＡＮサービス要求情報の少なくとも１つを含むＬＡＮサービス関連情報を送信するために用いられる。
又は
ＲＦユニット２３１は、ネットワークのＬＡＮサービス能力情報を送信するために用いられる。
又は
ＲＦユニット２３１は、ＬＡＮサービスの関連設定情報、ＬＡＮサービス中継の関連設定情報、及びＬＡＮに関連するルート選択ポリシー情報の少なくとも１つを含む第１の情報を取得するために用いられる。
【０２５９】
プロセッサ２３１０は、前記第１の情報に基づいて、ＬＡＮサービスの第２の関連操作を実行するために用いられる。
又は
ＲＦユニット２３１は、ターゲットＬＡＮへの加入要求情報、及びターゲットＬＡＮ中継とする要求情報の少なくとも１つを含む第１の要求情報を送信するために用いられる。
又は
ＲＦユニット２３１は、ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得するために用いられる。
【０２６０】
プロセッサ２３１０は、前記第２の情報に基づいて、ＬＡＮサービスの第４の関連操作を実行するために用いられる。
【０２６１】
本開示の実施例は、いかにＬＡＮサービスをサポートするかの問題を解決することができ、たとえば、３ＧＰＰ内のＬＡＮサービスの認可、ＬＡＮ群への加入認可及びデータチャンネルの確立、ＬＡＮ群のからの離脱及び基礎データチャンネルのバインドを制御することで、通信効率を向上させる。
【０２６２】
なお、本開示の実施例では、ＲＦユニット２３１は、情報の受送信、又は通話中の信号の受送信に用いられ得、具体的には、基地局からのダウンリンクデータを受信して、プロセッサ２３１０に送信して処理し、また、アップリンクデータを基地局に送信する。通常、ＲＦユニット２３１は、アンテナ、少なくとも１つのアンプ、トランシーバ、カプラー、低ノイズアンプ、ダイプレクサーなどを含むが、これらに制限されない。さらに、ＲＦユニット２３１は、無線通信システム及びネットワークを介して他の機器と通信してもよい。
【０２６３】
端末は、ネットワークモジュール２３２を介して、無線ブロードバンドインターネット訪問をユーザに提供し、たとえば、ユーザが電子メールを受送信したり、ウェブサイトにアクセスしたり、ストリーミングメディアに訪問したりするなどに寄与する。
【０２６４】
オーディオ出力ユニット２３３は、ＲＦユニット２３１又はネットワークモジュール２３２の受信した、又はメモリ２３９中に記憶されたオーディオデータをオーディオ信号に変換して音声として出力することができる。さらに、オーディオ出力ユニット２３３は、端末２３０が実行する特定の機能に関連するオーディオ出力（たとえば、通話信号受信音、メッセージ着信音など）を提供できる。オーディオ出力ユニット２３３は、スピーカー、ブザーやレシーバーなどを含む。
【０２６５】
入力ユニット２３４はオーディオ又はビデオ信号を受信するために用いられる。入力ユニット２３４は、グラフィックスプロセッシングユニット（Ｇｒａｐｈｉｃｓ  Ｐｒｏｃｅｓｓｉｎｇ  Ｕｎｉｔ、ＧＰＵ）２３４１及びマイクロフォン２３４２を含むことができ、グラフィックスプロセッシングユニット２３４１は、ビデオキャプチャモード又は画像キャプチャモードにおいて、撮像装置（たとえばカメラ）により取得された静止画又はビデオの画像データを処理する。処理された画像フレームは、表示ユニット２３６に表示することができる。グラフィックスプロセッシングユニット２３４１によって処理された画像フレームは、メモリ２３９（又は他の記憶媒体）に記憶されてもよく、又はＲＦユニット２３１又はネットワークモジュール２３２を介して送信されてもよい。マイクロフォン２３４２は、音声を受信し、そのような音声をオーディオデータとして処理することができる。処理されたオーディオデータは、通話モードの場合、ＲＦユニット２３１を介して移動通信基地局に送信可能なフォーマットに変換して出力することができる。
【０２６６】
端末２３０はまた、光センサ、動きセンサ、及び他のセンサのような少なくとも１つのセンサ２３５を含む。具体的には、光センサは、周囲光の明暗に応じて表示パネル２３６１の明るさを調整する周囲光センサと、端末２３０が耳に移動したときに表示パネル２３６１及び／又はバックライトを消灯する近接センサとを含む。動きセンサの１つとして、加速度計センサは各方向（一般的には３軸）の加速度の大きさを検出し、静止時に重力の大きさと方向を検出し、端末の姿勢認識（例えば、縦横スクリーンの切り替え、関連するゲーム、磁力計の姿勢校正）、振働認識関連機能（例えば、歩数計、タップ）などに利用でき、センサ２３５は、指紋センサ、圧力センサ、虹彩センサ、分子センサ、ジャイロ、気圧計、湿度計、温度計、赤外線センサなどを含むことができるが、ここではこれ以上説明しない。
【０２６７】
表示ユニット２３６は、ユーザにより入力された情報やユーザに提供された情報を表示するために用いられる。表示ユニット２３６は、液晶ディスプレイ（Ｌｉｑｕｉｄ  Ｃｒｙｓｔａｌ  Ｄｉｓｐｌａｙ、ＬＣＤ）や有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で配置される表示パネル２３６１を備えていてもよい。
【０２６８】
ユーザ入力ユニット２３７は、入力された数字又は文字情報を受け付けたり、端末のユーザ設定及び機能制御に関するキー信号入力を生成したりするために用いられる。具体的には、ユーザ入力ユニット２３７は、タッチパネル２３７１と、その他の入力機器２３７２とを含む。タッチパネル２３７１は、タッチスクリーンとも呼ばれ、タッチパネル２３７１上又はその近傍でのユーザのタッチ操作（例えば、タッチパネル２３７１上又はその近傍でのユーザの指、ペンなどの任意の適切な物体又はアクセサリによる操作）を収集することができる。タッチパネル２３７１は、タッチ検出装置及びタッチコントローラの２つの部分を含むことができる。ここで、タッチ検出装置は、ユーザのタッチ方位を検出し、タッチ操作による信号を検出してタッチコントローラに送信し、タッチコントローラは、タッチ検出装置からタッチ情報を受信してタッチ座標に変換し、プロセッサ２３１０に送り、プロセッサ２３１０からの命令を受信して実行する。さらに、タッチパネル２３７１は、抵抗型、静電容量型、赤外線や弾性表面波などの複数種類で実現することができる。ユーザ入力ユニット２３７は、タッチパネル２３７１の他に、他の入力機器２３７２を含んでもよい。具体的には、他の入力機器２３７２は、物理キーボード、ファンクションキー（例えば、ボリュームコントロールキー、スイッチキーなど）、トラックボール、マウス、ジョイスティックを含むことができるが、これらに限定されるものではない。
【０２６９】
さらに、タッチパネル２３７１は、表示パネル２３６１上に被覆されてもよく、タッチパネル２３７１がその上又はその近傍でタッチ操作を検出すると、プロセッサ２３１０に伝達されてタッチイベントのタイプが決定され、次にプロセッサ２３１０は、タッチイベントのタイプに応じて表示パネル２３６１上に対応する視覚的出力を提供する。図２３においては、タッチパネル２３７１と表示パネル２３６１とは、端末の入出力機能を２つの独立した部品として実現しているが、いくつかの実施例によっては、タッチパネル２３７１と表示パネル２３６１とを一体化して端末の入出力機能を実現してもよく、ここでは特に限定しない。
【０２７０】
インタフェースユニット２３８は、外部装置と端末２３０とを接続するためのインタフェースである。例えば、外部装置は、有線又は無線ヘッドセットポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポートなどを含むことができる。インターフェースユニット２３８は、外部装置からの入力（例えば、データ情報、電力等）を受信し、受信した入力を端末２３０内の１つ以上の素子に伝送するために使用されてもよく、端末２３０と外部装置との間でデータを伝送するために使用されてもよい。
【０２７１】
メモリ２３９は、ソフトウェアプログラム及び様々なデータを記憶するために使用することができる。メモリ２３９は、主に、オペレーティングシステム、少なくとも１つの機能に必要なアプリケーションプログラムなど（たとえば、音声再生機能、画像再生機能など）を記憶することができるプログラム記憶領域と、携帯電話の使用にしたがって作成されたデータ（たとえば、オーディオデータ、電話帳など）などを記憶することができるデータ記憶領域とを含んでいてもよい。さらに、メモリ２３９は、高速ランダムアクセスメモリを含むことができ、少なくとも１つのディスクメモリデバイス、フラッシュメモリデバイス、又は他の揮発性固体メモリデバイスのような不揮発性メモリも含むことができる。
【０２７２】
プロセッサ２３１０は、端末の制御センタであり、様々なインタフェース及び回線を使用して端末全体の様々な部分を接続し、メモリ２３９内に記憶されたソフトウェアプログラム及び／又はモジュールを運転又は実行し、メモリ２３９内に記憶されたデータを呼び出すことによって、端末の様々な機能を実行し、データを処理することによって、端末全体を監視する。プロセッサ２３１０は、１つ又は複数の処理ユニットを含むことができ、オプションとして、プロセッサ２３１０は、主にオペレーティングシステム、ユーザインタフェース及びアプリケーションプログラムなどを処理するアプリケーションプロセッサと、主に無線通信を処理するモデムプロセッサとを統合することができる。なお、上記のモデムプロセッサは、プロセッサ２３１０に統合されていなくてもよい。
【０２７３】
端末２３０はまた、様々な部材に電力を供給する電源２３１１（たとえばバッテリ）を含むことができ、オプションとして、電源２３１１は、電源管理システムを介してプロセッサ２３１０に論理的に接続されてもよく、これにより、充電、放電、電力消費管理などの機能が電源管理システムを介して実現され得る。
【０２７４】
また、端末２３０は、示されていないいくつかの機能モジュールを含むが、ここでは詳しく説明しない。
【０２７５】
本開示の実施例は、第１の通信機器をさらに提供し、該第１の通信機器は、プロセッサ及びメモリを含む。プロセッサは、バスアーキテクチャの管理及び通常の処理を行い、メモリは、プロセッサが操作するときに使用するデータを記憶することができる。本開示の実施例では、該第１の通信機器は、メモリに記憶され、プロセッサで運転可能なコンピュータプログラムをさらに含み、コンピュータプログラムは、プロセッサにより実行されると、端末のＬＡＮサービスの能力情報、前記端末の位置情報、ＬＡＮサービス契約情報、及びＬＡＮサービス要求情報の少なくとも１つを含むＬＡＮサービス関連情報を送信するステップを実現する。
【０２７６】
オプションとして、前記ＬＡＮサービス要求情報は、ＬＡＮサービス中継としての要求、及びＬＡＮサービスへのアクセス要求の少なくとも１つを含む。
【０２７７】
オプションとして、前記端末のＬＡＮサービスの能力情報は、ＬＡＮサービスをサポートするか否か、及びＬＡＮサービスの中継とすることをサポートするか否かの少なくとも１つを含む。
【０２７８】
オプションとして、前記ＬＡＮサービス関連情報は、前記ＬＡＮサービス要求情報を含み、コンピュータプログラムは、プロセッサにより実行されると、予め設定された条件を満たす場合、前記ＬＡＮサービス要求情報を送信するステップも実現でき、前記予め設定された条件は、ネットワークのＬＡＮサービス能力情報を取得したことを含む。
【０２７９】
本開示の実施例は、第２の通信機器をさらに提供し、該第２の通信機器は、プロセッサ及びメモリを含む。プロセッサは、バスアーキテクチャの管理及び通常の処理を行い、メモリは、プロセッサが操作するときに使用するデータを記憶することができる。本開示の実施例では、該第２の通信機器は、メモリに記憶され、プロセッサで運転可能なコンピュータプログラムをさらに含み、コンピュータプログラムは、プロセッサにより実行されると、ネットワークのＬＡＮサービス能力情報を送信するステップを実現する。
【０２８０】
オプションとして、前記ネットワークのＬＡＮサービス能力情報は、ＬＡＮサービスをサポートするか否かの指示情報、サポートするＬＡＮのＬＡＮ関連情報及びサポートしないＬＡＮのＬＡＮ関連情報の少なくとも１つを含む。
【０２８１】
本開示の実施例は、第３の通信機器をさらに提供し、該第３の通信機器は、プロセッサ及びメモリを含む。プロセッサは、バスアーキテクチャの管理及び通常の処理を行い、メモリは、プロセッサが操作するときに使用するデータを記憶することができる。本開示の実施例では、該第３の通信機器は、メモリに記憶され、プロセッサで運転可能なコンピュータプログラムをさらに含み、コンピュータプログラムは、プロセッサにより実行されると、前記端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得するステップと、前記ＬＡＮサービス関連情報に基づいて、ＬＡＮサービスの第１の関連操作を実行するステップとを実現する。
【０２８２】
オプションとして、前記ＬＡＮサービスの第１の関連操作は、以下の少なくとも１つを含む。
−前記端末にＬＡＮサービスの関連設定情報を設定すること、
−前記端末にＬＡＮサービス中継の関連設定情報を設定すること、
−前記端末にＬＡＮに関連するルート選択ポリシー情報を設定すること、
−ＬＡＮサービスの関連設定情報を送信すること、
−ＬＡＮサービス中継の関連設定情報を送信すること、
−ＬＡＮに関連するルート選択ポリシー情報を送信すること、
−前記端末の加入が許可されたＬＡＮのＬＡＮ関連情報を送信すること、
−前記端末の加入が許可されないＬＡＮのＬＡＮ関連情報を送信すること。
【０２８３】
さらに、前記ＬＡＮサービスの関連設定情報は、以下の少なくとも１つを含む。
−ＬＡＮサービスを許可するか否かの情報、
−ＬＡＮサービスのサービス範囲情報、
−加入が許可されたＬＡＮのＬＡＮ関連情報、
−加入が許可されないＬＡＮのＬＡＮ関連情報、
−ＬＡＮサービスをサポートするＤＮＮ情報、
−ＬＡＮサービスをサポートするスライス情報。
【０２８４】
さらに、前記ＬＡＮサービス中継の関連設定情報は、以下の少なくとも１つを含む。
−ＬＡＮサービス中継とすることを許可するか否かの情報、
−ＬＡＮサービス中継のサービス範囲情報、
−中継を許可するＬＡＮのＬＡＮ中継関連情報、
−中継を許可しないＬＡＮのＬＡＮ中継関連情報、
−中継を許可するＬＡＮのＬＡＮ関連情報、
−中継を許可しないＬＡＮのＬＡＮ関連情報。
【０２８５】
さらに、前記ＬＡＮに関連するルート選択ポリシー情報は、以下の少なくとも１つを含む。
−アプリケーションによるＬＡＮサービスへのアクセスが許可されるか否か、
−アプリケーションによるアクセスが許可されたＬＡＮのＬＡＮ関連情報、
−アプリケーションによるアクセスが許可されないＬＡＮのＬＡＮ関連情報、
−アプリケーションに関連付けられたＬＡＮのデータネットワーク名ＤＮＮ情報、
−アプリケーションに関連付けられたＬＡＮのスライス情報。
【０２８６】
本開示の実施例は、端末をさらに提供し、該端末は、プロセッサ及びメモリを含む。プロセッサは、バスアーキテクチャの管理及び通常の処理を行い、メモリは、プロセッサが操作するときに使用するデータを記憶することができる。本開示の実施例では、該端末は、メモリに記憶され、プロセッサで運転可能なコンピュータプログラムをさらに含み、コンピュータプログラムは、プロセッサにより実行されると、
ＬＡＮサービスの関連設定情報、ＬＡＮサービス中継の関連設定情報、及びＬＡＮに関連するルート選択ポリシー情報の少なくとも１つを含む第１の情報を取得するステップと、
前記第１の情報に基づいて、ＬＡＮサービスの第２の関連操作を実行するステップとを実現する。
【０２８７】
オプションとして、コンピュータプログラムは、プロセッサにより実行されると、第１の情報を取得する前記ステップの前に、端末のＬＡＮサービスの能力情報、前記端末の位置情報、及びＬＡＮサービス要求情報の少なくとも１つを含むＬＡＮサービス関連情報を送信するステップも実現できる。
【０２８８】
オプションとして、前記ＬＡＮサービスの関連設定情報は、以下の少なくとも１つを含む。
−ＬＡＮサービスを許可するか否かの情報、
−ＬＡＮサービスのサービス範囲情報、
−加入が許可されたＬＡＮのＬＡＮ関連情報、
−加入が許可されないＬＡＮのＬＡＮ関連情報、
−ＬＡＮサービスをサポートするＤＮＮ情報、
−ＬＡＮサービスをサポートするスライス情報。
【０２８９】
さらに、前記ＬＡＮサービスのサービス範囲情報は、以下の少なくとも１つを含む。
−ＬＡＮサービスをサポートするネットワークのネットワーク識別子情報、
−ＬＡＮサービスをサポートするネットワークのネットワークタイプ情報、
−ＬＡＮサービスをサポートするロケーションエリア情報、
−ＬＡＮサービスをサポートする基地局情報、
−ＬＡＮサービスをサポートするセル情報。
【０２９０】
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む。
【０２９１】
さらに、前記ＬＡＮ関連情報は、以下の少なくとも１つを含む。
−ＬＡＮの識別子情報、
−マルチキャストを許可するか否か、
−ＬＡＮにおけるマルチキャストの通信アドレス情報、
−ＬＡＮにおける前記端末の通信アドレス情報、
−ＬＡＮのサービス範囲情報、
−ＬＡＮにおける通信機器情報、
−ＬＡＮをサポートするＤＮＮ情報、
−ＬＡＮをサポートするスライス情報。
【０２９２】
さらに、前記ＬＡＮの識別子情報は、以下の少なくとも１つを含む。
−アプリケーション層のＬＡＮ識別子、
−通信ネットワーク内のＬＡＮ識別子、
−伝送層のＬＡＮ識別子。
【０２９３】
さらに、前記ＬＡＮのサービス範囲情報は、以下の少なくとも１つを含む。
−ＬＡＮをサポートするネットワークのネットワーク識別子、
−ＬＡＮをサポートするネットワークのネットワークタイプ情報、
−ＬＡＮをサポートするロケーションエリア情報、
−ＬＡＮをサポートする基地局情報、
−ＬＡＮをサポートするセル情報。
【０２９４】
前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む。
【０２９５】
さらに、前記通信アドレス情報は、ポート、メディアアクセス制御ＭＡＣアドレス、ＩＰアドレス、及びＶＬＡＮの情報の少なくとも１つを含む。一実施形態では、前記ＩＰアドレスは、ＬＡＮに対応するＩＰサブネット内のＩＰアドレスである。ＬＡＮにおける前記端末の通信アドレス情報に含まれ得る項目は、通信アドレス情報と同じであってもよい。前記マルチキャストの通信アドレス情報に含まれ得る項目は、通信アドレス情報と同じであってもよい。たとえばＬＡＮマルチキャストのＩＰアドレスはマルチキャストＩＰアドレスであり、ＬＡＮマルチキャストのＭＡＣアドレスはマルチキャストＭＡＣアドレスである。
【０２９６】
さらに、前記ＬＡＮにおける通信機器情報は、ＬＡＮにおける通信機器の通信アドレス情報を含む。
【０２９７】
オプションとして、前記ＬＡＮサービス中継の関連設定情報は、以下の少なくとも１つを含む。
−ＬＡＮサービス中継とすることを許可するか否かの情報、
−ＬＡＮサービス中継のサービス範囲情報、
−中継を許可するＬＡＮのＬＡＮ中継関連情報、
−中継を許可しないＬＡＮのＬＡＮ中継関連情報、
−中継を許可するＬＡＮのＬＡＮ関連情報、
−中継を許可しないＬＡＮのＬＡＮ関連情報。
【０２９８】
さらに、前記ＬＡＮサービス中継のサービス範囲情報は、ネットワーク識別子情報、ネットワークタイプ情報、ロケーションエリア情報、基地局情報及びＬＡＮサービスをサポートするセル情報の少なくとも１つを含み、
さらに、前記ネットワークタイプ情報は、ＴｙｐｅＡ、ＴｙｐｅＢ、プライベート通信ネットワーク、仮想プライベート通信ネットワーク、及びパブリック通信ネットワークの少なくとも１つを含み、及び／又は
さらに、前記ネットワーク識別子情報は、ＴｙｐｅＡネットワークの識別子、ＴｙｐｅＢネットワーク識別子、プライベート通信ネットワーク識別子、仮想プライベート通信ネットワーク識別子、及びパブリック通信ネットワーク識別子の少なくとも１つを含む。
【０２９９】
さらに、前記ＬＡＮ中継関連情報は、以下の少なくとも１つを含む。
−ＬＡＮの識別子情報、
−マルチキャストを許可するか否か、
−ＬＡＮにおけるマルチキャストの通信アドレス情報、
−ＬＡＮにおける前記端末の通信アドレス情報、
−ＬＡＮのサービス範囲情報、
−ＬＡＮにおける通信機器情報、
−ＬＡＮにおける中継としての前記端末の通信アドレス、
−ＬＡＮ中継のサービス範囲情報、
−ＬＡＮ中継によるアクセスが許可された通信機器情報。
【０３００】
オプションとして、前記ＬＡＮに関連するルート選択ポリシー情報は、以下の少なくとも１つを含む。
−アプリケーションによるＬＡＮサービスへのアクセスが許可されるか否か、
−アプリケーションによるアクセスを許可されたＬＡＮのＬＡＮ関連情報、
−アプリケーションによるアクセスを許可されないＬＡＮのＬＡＮ関連情報、
−アプリケーションに関連付けられたＬＡＮのＤＮＮ情報、
−アプリケーションに関連付けられたＬＡＮのスライス情報。
【０３０１】
オプションとして、前記ＬＡＮサービスの第２の関連操作は、以下の少なくとも１つを含む。
−ＬＡＮへの加入、
−ＬＡＮからの離脱、
−ＬＡＮにおける１対１通信、
−ＬＡＮにおける１対多通信、
−ＬＡＮにおける通信機器への中継サービス提供。
【０３０２】
さらに、前記のＬＡＮにおける通信機器への中継サービス提供は、以下の少なくとも１つを含むことができる。
【０３０３】
−ＬＡＮに対応するＶＬＡＮの情報を中継された通信機器のデータパケットに追加すること、
−中継された通信機器について、ＬＡＮ加入要求を送信すること、
−中継された通信機器について、ＬＡＮからの離脱の要求を送信すること。
【０３０４】
本開示の実施例は、端末をさらに提供し、該端末は、プロセッサ及びメモリを含む。プロセッサは、バスアーキテクチャの管理及び通常の処理を行い、メモリは、プロセッサが操作するときに使用するデータを記憶することができる。本開示の実施例では、該端末は、メモリに記憶され、プロセッサで運転可能なコンピュータプログラムをさらに含み、コンピュータプログラムは、プロセッサにより実行されると、ターゲットＬＡＮへの加入要求情報、及びターゲットＬＡＮ中継とする要求情報の少なくとも１つを含む第１の要求情報を送信するステップを実現する。
【０３０５】
本開示の実施例は、ネットワーク側機器をさらに提供し、該ネットワーク側機器は、プロセッサ及びメモリを含む。プロセッサは、バスアーキテクチャの管理及び通常の処理を行い、メモリは、プロセッサが操作するときに使用するデータを記憶することができる。本開示の実施例では、該ネットワーク側機器は、メモリに記憶され、プロセッサで運転可能なコンピュータプログラムをさらに含み、コンピュータプログラムは、プロセッサにより実行されると、予め設定された条件を満たすか否かを判断するステップと、予め設定された条件を満たす場合、ＬＡＮサービスの第３の関連操作を実行するステップとを実現する。
【０３０６】
オプションとして、前記予め設定された条件は、第１の要求情報を取得したこと、及びターゲットＬＡＮのＬＡＮ関連情報を生成又は更新したことの少なくとも１つを含み、
前記第１の要求情報は、ターゲットＬＡＮへの端末加入要求情報、及びターゲットＬＡＮ中継とする要求情報の少なくとも１つを含む。
【０３０７】
オプションとして、前記ＬＡＮサービスの第３の関連操作は、以下の少なくとも１つを含む。
【０３０８】
−ターゲットＬＡＮへの前記端末加入が許可されるか否かを検証すること、
−前記ターゲットＬＡＮへの前記端末加入を許可するか否かの情報を送信すること、
−前記端末がターゲットＬＡＮ中継とすることが許可されるか否かを検証すること、
−前記端末が前記ターゲットＬＡＮ中継とすることを許可するか否かの情報を送信すること。
【０３０９】
さらに、ターゲットＬＡＮへの前記端末加入が許可された場合、前記ＬＡＮサービスの第３の関連操作は、以下の少なくとも１つを含む。
【０３１０】
−前記端末にターゲットＬＡＮのＬＡＮ関連情報を設定すること、
−ターゲットＬＡＮのＬＡＮ関連情報を送信すること、
−前記端末加入が許可されたターゲットＬＡＮのＬＡＮ関連情報を送信すること。
【０３１１】
前記ターゲットＬＡＮへの前記端末加入が許可されない場合、前記ＬＡＮサービスの第３の関連操作は、前記端末加入が許可されないターゲットＬＡＮのＬＡＮ関連情報を第２のターゲット側に送信することを含む。
【０３１２】
さらに、前記端末が前記ターゲットＬＡＮ中継とすることが許可された場合、前記ＬＡＮサービスの第３の関連操作は、以下の少なくとも１つを含む。
【０３１３】
−前記端末にターゲットＬＡＮ中継関連情報を設定すること、
−前記端末にターゲットＬＡＮのＬＡＮ関連情報を設定すること、
−ターゲットＬＡＮ中継関連情報を送信すること、
−前記端末加入が許可されたターゲットＬＡＮのＬＡＮ関連情報を送信すること。
【０３１４】
前記端末がターゲットＬＡＮ中継とすることが許可されない場合、前記ＬＡＮサービスの第３の関連操作は、前記端末がターゲットＬＡＮ中継とすることが許可されない旨のＬＡＮ関連情報を送信することを含む。
【０３１５】
さらに、前記ターゲットＬＡＮへの前記端末加入が許可されるか否かの前記情報は、前記端末による前記ターゲットＬＡＮ関連データチャンネルの確立、又は前記端末に対する前記ターゲットＬＡＮ関連データチャンネルの確立が許可されるか否かの情報である。
【０３１６】
本開示の実施例は、端末をさらに提供し、該端末は、プロセッサ及びメモリを含む。プロセッサは、バスアーキテクチャの管理及び通常の処理を行い、メモリは、プロセッサが操作するときに使用するデータを記憶することができる。本開示の実施例では、該端末は、メモリに記憶され、プロセッサで運転可能なコンピュータプログラムをさらに含み、コンピュータプログラムは、プロセッサにより実行されると、
ターゲットＬＡＮのＬＡＮ中継関連情報、ターゲットＬＡＮのＬＡＮ関連情報、ターゲットＬＡＮへの加入が許可されるか否かの情報、及びターゲットＬＡＮ中継とすることが許可されるか否かの情報の少なくとも１つを含む第２の情報を取得するステップと、
前記第２の情報に基づいて、ＬＡＮサービスの第４の関連操作を実行するステップとを実現する。
【０３１７】
オプションとして、コンピュータプログラムは、プロセッサにより実行されると、第２の情報を取得する前に、ターゲットＬＡＮへの加入要求情報、及びターゲットＬＡＮ中継とする要求情報の少なくとも１つを含む第１の要求情報を送信するステップも実現する。
【０３１８】
オプションとして、前記ターゲットＬＡＮのＬＡＮ関連情報は、以下の少なくとも１つを含む。
−ターゲットＬＡＮの識別子情報、
−マルチキャストを許可するか否か、
−ターゲットＬＡＮにおけるマルチキャストの通信アドレス情報、
−ＬＡＮにおける前記端末の通信アドレス情報、
−ターゲットＬＡＮのサービス範囲情報、
−ターゲットＬＡＮにおける通信機器情報、
−ＬＡＮをサポートするＤＮＮ情報、
−ＬＡＮをサポートするスライス情報。
【０３１９】
オプションとして、前記ターゲットＬＡＮのＬＡＮ中継関連情報は、以下の少なくとも１つを含む。
−ターゲットＬＡＮの識別子情報、
−マルチキャストを許可するか否か、
−ターゲットＬＡＮにおけるマルチキャストの通信アドレス情報、
−ターゲットＬＡＮにおける前記端末の通信アドレス情報、
−ターゲットＬＡＮのサービス範囲情報、
−ターゲットＬＡＮにおける通信機器情報、
−ＬＡＮ中継としての前記端末の通信アドレス、
−ＬＡＮ中継のサービス範囲情報、
−ＬＡＮ中継によるアクセスが許可された通信機器情報。
【０３２０】
オプションとして、前記ＬＡＮサービスの第４の関連操作は、以下の少なくとも１つを含む。
−ターゲットＬＡＮへの加入、
−ターゲットＬＡＮからの離脱、
−ターゲットＬＡＮにおける１対１通信、
−ターゲットＬＡＮにおける１対多通信、
−ターゲットＬＡＮのＬＡＮ機器への中継サービス提供。
【０３２１】
さらに、前記のターゲットＬＡＮにおける通信機器への中継サービス提供は、以下の少なくとも１つを含むことができる。
−中継された通信機器のデータパケットに、ターゲットＬＡＮに対応するＶＬＡＮの情報を追加すること、
−中継された通信機器について、ターゲットＬＡＮへの加入要求を送信すること、
−中継された通信機器について、ターゲットＬＡＮからの離脱要求を送信すること。
【０３２２】
本開示の実施例は、コンピュータ読み取り可能な記憶媒体をさらに提供し、前記コンピュータ読み取り可能な記憶媒体には、コンピュータプログラムが記憶されており、前記コンピュータプログラムは、プロセッサにより実行されると、上記ＬＡＮサービスの制御方法の実施例の各過程を実現し、且つ、同じ技術的効果を達成でき、重複説明をしないように、ここで詳しく説明しない。前記コンピュータ読み取り可能な記憶媒体は、たとえば、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクや光ディスクなどである。
【０３２３】
なお、本明細書では、用語「含有」、「含む」又はその他の変形は、非排他的包含をカバーすることを意図しており、それによって、一連の要素を含む過程、方法、物品、又は装置は、それらの要素を含むだけでなく、明示的に列挙されていない他の要素も含むか、又はそのような過程、方法、物品、又は装置に固有の要素も含むことになる。これ以上の制限がない場合、「……を含む」という語句によって限定された要素は、その要素を含む過程、方法、物品又は装置に同一の要素が他に存在することを排除するものではない。
【０３２４】
上記実施形態の説明により、当業者は、上記実施例の方法が、ソフトウェアと必要な汎用ハードウェアプラットフォームとを組み合わせた方式で実現され得ることを明確に理解することができ、もちろん、ハードウェアによっても実現され得るが、多くの場合、前者の方がよりよい実施形態である。このような知見に基づいて、本開示の技術案の本質、又は従来技術に貢献する部分は、ソフトウェア製品の形式で具現化することができ、このコンピュータソフトウェア製品は、記憶媒体（例えば、ＲＯＭ／ＲＡＭ、磁気ディスク、光ディスク）に記憶され、端末（携帯電話、コンピュータ、サーバ、空気調和機、又はネットワーク機器などであってもよい）に本開示の各実施例に記載の方法を実行させるためのいくつかの命令を含む。
【０３２５】
以上、図面を参照しながら本開示の実施例を説明したが、本開示は、上記した具体的な実施形態に限定されるものではなく、上記の具体的な実施形態は単なる例示的なものであり、限定的なものではなく、当業者は、本開示の趣旨及び請求項によって保護される範囲から逸脱することなく、本開示に基づいて多くの形態を作ることができ、いずれも本開示の保護範囲に属する。
【図１】
2021533677.tif 000003
【図２】
2021533677.tif 000004
【図３】
2021533677.tif 000005
【図４】
2021533677.tif 000006
【図５】
2021533677.tif 000007
【図６】
2021533677.tif 000008
【図７】
2021533677.tif 000009
【図８】
2021533677.tif 000010
【図９】
2021533677.tif 000011
【図１０】
2021533677.tif 000012
【図１１】
2021533677.tif 000013
【図１２】
2021533677.tif 000014
【図１３】
2021533677.tif 000015
【図１４】
2021533677.tif 000016
【図１５】
2021533677.tif 000017
【図１６】
2021533677.tif 000018
【図１７】
2021533677.tif 000019
【図１８】
2021533677.tif 000020
【図１９】
2021533677.tif 000021
【図２０】
2021533677.tif 000022
【図２１】
2021533677.tif 000023
【図２２】
2021533677.tif 000024
【図２３】
2021533677.tif 000025
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
第３の通信機器に適用され、
端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得することと、
前記ＬＡＮサービス関連情報に基づいて、ＬＡＮサービスの第１の関連操作を実行することとを含む、ＬＡＮサービスの制御方法。
【請求項２】
前記ＬＡＮサービスの第１の関連操作は
前記端末にＬＡＮサービスの関連設定情報を設定すること、
前記端末にＬＡＮサービス中継の関連設定情報を設定すること、
前記端末にＬＡＮに関連するルート選択ポリシー情報を設定すること、
ＬＡＮサービスの関連設定情報を送信すること、
ＬＡＮサービス中継の関連設定情報を送信すること、
ＬＡＮに関連するルート選択ポリシー情報を送信すること、
前記端末の加入が許可されたＬＡＮのＬＡＮ関連情報を送信すること、
前記端末の加入が許可されないＬＡＮのＬＡＮ関連情報を送信することの少なくとも１つを含む、請求項１に記載のＬＡＮサービスの制御方法。
【請求項３】
前記ＬＡＮサービスの関連設定情報は、
ＬＡＮサービスを許可するか否かの情報、
ＬＡＮサービスのサービス範囲情報、
加入が許可されたＬＡＮのＬＡＮ関連情報、
加入が許可されないＬＡＮのＬＡＮ関連情報、
ＬＡＮサービスをサポートするＤＮＮ情報、
ＬＡＮサービスをサポートするスライス情報の少なくとも１つを含む、請求項２に記載のＬＡＮサービスの制御方法。
【請求項４】
前記ＬＡＮサービス中継の関連設定情報は、
ＬＡＮサービス中継とすることを許可するか否かの情報、
ＬＡＮサービス中継のサービス範囲情報、
中継を許可するＬＡＮのＬＡＮ中継関連情報、
中継を許可しないＬＡＮのＬＡＮ中継関連情報、
中継を許可するＬＡＮのＬＡＮ関連情報、
中継を許可しないＬＡＮのＬＡＮ関連情報の少なくとも１つを含む、請求項２に記載のＬＡＮサービスの制御方法。
【請求項５】
前記ＬＡＮに関連するルート選択ポリシー情報は、
アプリケーションによるＬＡＮサービスへのアクセスが許可されるか否か、
アプリケーションによるアクセスが許可されたＬＡＮのＬＡＮ関連情報、
アプリケーションによるアクセスが許可されないＬＡＮのＬＡＮ関連情報、
アプリケーションに関連付けられたＬＡＮのデータネットワーク名ＤＮＮ情報、
アプリケーションに関連付けられたＬＡＮのスライス情報の少なくとも１つを含む、請求項２に記載のＬＡＮサービスの制御方法。
【請求項６】
端末に適用され、
ＬＡＮサービスの関連設定情報、ＬＡＮサービス中継の関連設定情報、及びＬＡＮに関連するルート選択ポリシー情報の少なくとも１つを含む第１の情報を取得することと、
前記第１の情報に基づいて、ＬＡＮサービスの第２の関連操作を実行することとを含む、ＬＡＮサービスの制御方法。
【請求項７】
前記ＬＡＮサービスの関連設定情報は、
ＬＡＮサービスを許可するか否かの情報、
ＬＡＮサービスのサービス範囲情報、
加入が許可されたＬＡＮのＬＡＮ関連情報、
加入が許可されないＬＡＮのＬＡＮ関連情報、
ＬＡＮサービスをサポートするＤＮＮ情報、
ＬＡＮサービスをサポートするスライス情報の少なくとも１つを含む、請求項６に記載のＬＡＮサービスの制御方法。
【請求項８】
前記ＬＡＮ関連情報は、
ＬＡＮの識別子情報、
マルチキャストを許可するか否か、
ＬＡＮにおけるマルチキャストの通信アドレス情報、
ＬＡＮにおける前記端末の通信アドレス情報、
ＬＡＮのサービス範囲情報、
ＬＡＮにおける通信機器情報、
ＬＡＮをサポートするＤＮＮ情報、
ＬＡＮをサポートするスライス情報の少なくとも１つを含む、請求項７に記載のＬＡＮサービスの制御方法。
【請求項９】
前記ＬＡＮの識別子情報は、
アプリケーション層のＬＡＮ識別子、
通信ネットワーク内のＬＡＮ識別子、
伝送層のＬＡＮ識別子の少なくとも１つを含む、請求項８に記載のＬＡＮサービスの制御方法。
【請求項１０】
前記ＬＡＮサービス中継の関連設定情報は、
ＬＡＮサービス中継とすることを許可するか否かの情報、
ＬＡＮサービス中継のサービス範囲情報、
中継を許可するＬＡＮのＬＡＮ中継関連情報、
中継を許可しないＬＡＮのＬＡＮ中継関連情報、
中継を許可するＬＡＮのＬＡＮ関連情報、
中継を許可しないＬＡＮのＬＡＮ関連情報の少なくとも１つを含む、請求項６に記載のＬＡＮサービスの制御方法。
【請求項１１】
前記ＬＡＮ中継関連情報は、
ＬＡＮの識別子情報、
マルチキャストを許可するか否か、
ＬＡＮにおけるマルチキャストの通信アドレス情報、
ＬＡＮにおける前記端末の通信アドレス情報、
ＬＡＮのサービス範囲情報、
ＬＡＮにおける通信機器情報、
ＬＡＮにおける中継としての前記端末の通信アドレス情報、
ＬＡＮ中継のサービス範囲情報、
ＬＡＮ中継によるアクセスが許可された通信機器情報の少なくとも１つを含む、請求項１０に記載のＬＡＮサービスの制御方法。
【請求項１２】
前記ＬＡＮに関連するルート選択ポリシー情報は、
アプリケーションによるＬＡＮサービスへのアクセスが許可されるか否か、
アプリケーションによるアクセスが許可されたＬＡＮのＬＡＮ関連情報、
アプリケーションによるアクセスが許可されないＬＡＮのＬＡＮ関連情報、
アプリケーションに関連付けられたＬＡＮのＤＮＮ情報、
アプリケーションに関連付けられたＬＡＮのスライス情報の少なくとも１つを含む、請求項６に記載のＬＡＮサービスの制御方法。
【請求項１３】
前記ＬＡＮサービスの第２の関連操作は、
ＬＡＮへの加入、
ＬＡＮからの離脱、
ＬＡＮにおける１対１通信、
ＬＡＮにおける１対多通信、
ＬＡＮにおける通信機器への中継サービス提供の少なくとも１つを含み、
前記ＬＡＮにおける通信機器への中継サービス提供は、
ＬＡＮに対応するＶＬＡＮの情報を、中継された通信機器のデータパケットに追加することと、
中継された通信機器について、ＬＡＮ加入要求を送信することと、
中継された通信機器について、ＬＡＮからの離脱の要求を送信することとの少なくとも１つを含む、請求項６に記載のＬＡＮサービスの制御方法。
【請求項１４】
端末のＬＡＮサービスの能力、前記端末の位置情報、ＬＡＮサービス契約情報、及びＬＡＮサービス要求情報の少なくとも１つを含む、端末に関連するＬＡＮサービス関連情報を取得するための取得モジュールと、
前記ＬＡＮサービス関連情報に基づいて、ＬＡＮサービスの第１の関連操作を実行するための実行モジュールとを含む、第３の通信機器。
【請求項１５】
前記ＬＡＮサービスの第１の関連操作は、
前記端末にＬＡＮサービスの関連設定情報を設定すること、
前記端末にＬＡＮサービス中継の関連設定情報を設定すること、
前記端末にＬＡＮに関連するルート選択ポリシー情報を設定すること、
ＬＡＮサービスの関連設定情報を送信すること、
ＬＡＮサービス中継の関連設定情報を送信すること、
ＬＡＮに関連するルート選択ポリシー情報を送信すること、
前記端末の加入が許可されたＬＡＮのＬＡＮ関連情報を送信すること、
前記端末の加入が許可されないＬＡＮのＬＡＮ関連情報を送信することの少なくとも１つを含む、請求項１４に記載の第３の通信機器。
【請求項１６】
前記ＬＡＮに関連するルート選択ポリシー情報は、
アプリケーションによるＬＡＮサービスへのアクセスが許可されるか否か、
アプリケーションによるアクセスが許可されたＬＡＮのＬＡＮ関連情報、
アプリケーションによるアクセスが許可されないＬＡＮのＬＡＮ関連情報、
アプリケーションに関連付けられたＬＡＮのデータネットワーク名ＤＮＮ情報、
アプリケーションに関連付けられたＬＡＮのスライス情報の少なくとも１つを含む、請求項１５に記載の第３の通信機器。
【請求項１７】
ＬＡＮサービスの関連設定情報、ＬＡＮサービス中継の関連設定情報、及びＬＡＮに関連するルート選択ポリシー情報の少なくとも１つを含む第１の情報を取得するための取得モジュールと、
前記第１の情報に基づいて、ＬＡＮサービスの第２の関連操作を実行するための実行モジュールとを含む、端末。
【請求項１８】
前記ＬＡＮサービスの関連設定情報は、
ＬＡＮサービスを許可するか否かの情報、
ＬＡＮサービスのサービス範囲情報、
加入が許可されたＬＡＮのＬＡＮ関連情報、
加入が許可されないＬＡＮのＬＡＮ関連情報、
ＬＡＮサービスをサポートするＤＮＮ情報、
ＬＡＮサービスをサポートするスライス情報の少なくとも１つを含む、請求項１７に記載の端末。
【請求項１９】
前記ＬＡＮ関連情報は、
ＬＡＮの識別子情報、
マルチキャストを許可するか否か、
ＬＡＮにおけるマルチキャストの通信アドレス情報、
ＬＡＮにおける前記端末の通信アドレス情報、
ＬＡＮのサービス範囲情報、
ＬＡＮにおける通信機器情報、
ＬＡＮをサポートするＤＮＮ情報、
ＬＡＮをサポートするスライス情報の少なくとも１つを含む、請求項１８に記載の端末。
【請求項２０】
前記ＬＡＮの識別子情報は、
アプリケーション層のＬＡＮ識別子、
通信ネットワーク内のＬＡＮ識別子、
伝送層のＬＡＮ識別子の少なくとも１つを含む、請求項１９に記載の端末。
【請求項２１】
コンピュータプログラムが格納されているコンピュータ読み取り可能な記憶媒体であって、
前記コンピュータプログラムがプロセッサによって実行されると、請求項１〜１３のいずれか１項に記載のＬＡＮサービスの制御方法が実現される、コンピュータ読み取り可能な記憶媒体。
【国際調査報告】
2021533677.tif 000026
2021533677.tif 000027
2021533677.tif 000028
2021533677.tif 000029